(57)【特許請求の範囲】
【請求項１】
着用者の鼻及び口を含む顔面下部を覆う本体部と、前記本体部に結合され、前記本体部を着用者の顔面下部に固定する固定部と
を具備し、
前記本体部が、主シート部と、前記主シート部の内側の下部において、前記主シート部の左右両端部の間にわたって設けられた、帯状の伸縮性材料により形成されている、着用者の下顎を保持するための下部帯状体、及び、前記主シート部の内側の上部において、前記主シート部の左右両端部の間にわたって設けられた、帯状の伸縮性材料により形成されている、着用者の鼻を保持するための上部帯状体とを有する、マスクであって、
前記下部帯状体が、その下側の辺縁部の全部又は一部において、前記主シート部と結合しており、着用者の下顎を収容する顎ラップポケットを構成し、着用時において、折り返され、前記主シート部と着用者の肌との間に二重に存在する部分が生じ、
前記上部帯状体が、その上側の辺縁部の全部又は一部において、前記主シート部と結合しており、着用者の鼻を収容する鼻ラップポケットを構成し、着用時において、折り返され、前記主シート部と着用者の肌との間に二重に存在する部分が生じ、
前記主シート部の内側の表面と着用者の肌とが接触しない、マスク。
【請求項２】
前記下部帯状体が、顔面の下顎から顎骨を経由して両頬に至る部分において着用者の顔面に接触するように設けられ、及び／又は、前記上部帯状体が、顔面の鼻頭から小鼻を経由して両頬に至る部分において着用者の顔面に接触するように設けられている、請求項１に記載のマスク。
【請求項３】
着用時において、前記主シート部の内側の表面と、着用者の鼻の本体部と接触する部分のうち左右方向の中央最下部との最短距離が０．５ｍｍ以上である、請求項１又は２に記載のマスク。
【請求項４】
着用時において、前記主シート部の内側の表面と、着用者の上唇の左右方向の中央最下部との距離が３ｍｍ以上である、請求項１〜３のいずれかに記載のマスク。
【請求項５】
着用時において、前記主シート部の内側の表面と、着用者の顎の本体部と接触する部分のうち左右方向の中央最上部との最短距離が０．５ｍｍ以上である、請求項１〜４のいずれかに記載のマスク。
【請求項６】
着用時において、前記主シート部の内側の表面と、着用者の頬との距離が１ｍｍ以上である、請求項１〜５のいずれかに記載のマスク。
【請求項７】
前記下部帯状体及び／又は前記上部帯状体が、左右方向の最大伸張率が１．５以上である、請求項１〜６のいずれかに記載のマスク。
【請求項８】
前記顎ラップポケットが、深さ２０ｍｍ以上である、請求項１〜７のいずれかに記載のマスク。
【請求項９】
前記鼻ラップポケットが、深さ２０ｍｍ以上である、請求項１〜８のいずれかに記載のマスク。
【発明の詳細な説明】
【技術分野】
【０００１】
本発明は、マスクに関する。
【背景技術】
【０００２】
従来のマスクにおいては、呼気の漏れや、外気の侵入を防止すべく、マスクの周縁部を着用者の肌に密着させようとする手段が種々提案されている。
例えば、特許文献１には、マスク本体の左右両側部に耳掛け紐を取着してなる衛生マスクにおいて、当該マスク本体の上方部を一旦内側下方へ折れ曲げた上で、再び、内側上方へ折れ曲げ形成し、当該上部折り畳み部の先端縁には屈曲自在な針金を取り付け、当該先端縁の中央部分を拡開して鼻の部分から頬の部分にかけて密着させて固定支持するように構成したことを特徴とする衛生マスクが記載されている。
特許文献２には、顔面を覆う本体部と、この本体部に取り付けられた耳掛け紐とを有し、前記本体部の内側に、本体部と顔面との隙間に介在する通気性素材の補助片が設けられていることを特徴とするマスクが記載されている。
特許文献３には、左右一対の不織布シートを接合して形成されたマスク本体と、このマスク本体の両側部に設けられた耳掛け部とを具備し、装着時に前記マスク本体が左右に開かれて前記不織布シートの接合部が前方へと突出する立体型マスクであって、前記マスク本体の不織布シートの上部には、折り目部を介して前記マスク本体の裏面側へと折り返された折り返し片の少なくとも一部がそれぞれ接合され、これら折り返し片は、左右に互いに連接され、前記マスク本体の左右への開き動作に連動して前記マスク本体の裏面側から前記折り目部にて立ち上がるように形成されたことを特徴とした立体型マスクが記載されている。
【０００３】
特許文献４には、通気性素材により形成された表面側部材、通気性素材により形成された裏面側部材、および、これら表面側部材と裏面側部材との間に挟持され頂部を有する凸型部材を備え、表面側に突出するように形成されたマスク本体と、このマスク本体の両側に設けられ装着者の耳に係合される耳掛け部とを具備し、前記マスク本体は、前記凸型部材の下端部よりも下方にこの凸型部材が配設されない不存在領域を有し、前記マスク本体の下端部には、前記表面側部材と前記裏面側部材との間に伸縮性を有する弾性部材が配設され、この弾性部材の収縮により顎収容部が形成されたことを特徴とした立体型マスクが記載されている。
特許文献５には、マスク本体の裏面の側部の上部と左右に立体のギャザーを設け、上部の上側にはワイヤーを設けたギャザー付きマスクが記載されている。
【０００４】
特許文献６には、不織布等のフィルタ部材からなるマスク本体の背面にこのマスク本体と同じ素材よりなる鼻部覆い片と顎部覆い片とを重ね合わせ状態に配設して、鼻部覆い片の上端縁部をマクス本体の上端部に該マクス本体の幅方向の中央部から両側端部に向かって下方に円弧状に湾曲した線状の融着部によって取り付けていると共に、顎部覆い片の下端縁部をマスク本体の下端部に該マスク本体の幅方向の中央部から両側端部に向かって上方に円弧状に湾曲した融着部によって取り付けていて、これらの鼻部覆い片と顎部覆い片との自由端部をそれぞれの融着部を支点として後方に拡開可能に形成してあり、さらに、マスク本体の両側端部に紐取付具を装着してこの紐取付具に耳掛け紐を取り付けていることを特徴とするマスクが記載されている。
特許文献７には、顔面覆い部中央の上辺または下辺のすくなくとも一方にＶ字型の切り欠けを設け、該切り欠きの両斜辺を接合して立体性を付与された顔面覆い部と耳かけ部から構成される不織布製マスクであって、顔面覆い部が連続一体の不織布からなり、顔面覆い部の中央上辺に上方に張り出した襟部を設けてなることを特徴とする立体形マスクが記載されている。
【先行技術文献】
【特許文献】
【０００５】
【特許文献１】特開平１０−５３６０号公報
【特許文献２】特開平１０−１５０９１号公報
【特許文献３】特開２００７−５４２７０号公報
【特許文献４】特開２００７−６８８２７号公報
【特許文献５】特開２００８−１２２４８号公報
【特許文献６】実用新案登録第３１３８１５４号公報
【特許文献７】特開２００７−０５４３８１号公報
【発明の概要】
【発明が解決しようとする課題】
【０００６】
しかしながら、本発明者がこれらのマスクの性能について鋭意研究したところ、いずれも実際の着用時には、着用位置のずれが生じやすいことが分かった。特に、着用者が会話時に口を開閉したりして、顎が上下に動く場合に、ずれが生じることが分かった。
このような着用位置のずれは、呼気の漏れや外気の侵入の防止を目的とするマスクにおいては、その目的の達成を阻害するため問題となる。また、呼気の漏れや外気の侵入の防止を目的としないマスクであっても、着用位置のずれは着用者の不快感を与えるなど問題となる。
したがって、本発明は、着用位置のずれの生じにくいマスクを提供することを目的とする。
【課題を解決するための手段】
【０００７】
本発明者は、上記目的を達成すべく鋭意研究した結果、新規構造を有するマスクを完成させた。
【０００８】
すなわち、本発明は、以下の（１）〜（１８）を提供する。
（１）着用者の鼻及び口を含む顔面下部を覆う本体部と、前記本体部に結合され、前記本体部を着用者の顔面下部に固定する固定部と
を具備し、
前記本体部が、主シート部と、前記主シート部の内側の下部において、前記主シート部の左右両端部の間にわたって設けられた、帯状の伸縮性材料により形成されている、着用者の下顎を保持するための下部帯状体、及び／又は、前記主シート部の内側の上部において、前記主シート部の左右両端部の間にわたって設けられた、帯状の伸縮性材料により形成されている、着用者の鼻を保持するための上部帯状体とを有する、マスクであって、前記下部帯状体、及び／又は、前記上部帯状体が、着用時において、前記主シート部と着用者の肌との間に存在するように設けられており、前記主シート部の内側の表面と着用者の肌とが接触しないマスク。
（２）前記下部帯状体が、顔面の下顎から顎骨を経由して両頬に至る部分において着用者の顔面に接触するように設けられ、及び／又は、前記上部帯状体が、顔面の鼻頭から小鼻を経由して両頬に至る部分において着用者の顔面に接触するように設けられている、上記（１）に記載のマスク。
（３）着用時において、前記主シート部の内側の表面と、着用者の鼻の本体部と接触する部分のうち左右方向の中央最下部との最短距離が０．５ｍｍ以上である、上記（１）又は（２）に記載のマスク。
（４）着用時において、前記主シート部の内側の表面と、着用者の上唇の左右方向の中央最下部との距離が３ｍｍ以上である、上記（１）〜（３）のいずれかに記載のマスク。
（５）着用時において、前記主シート部の内側の表面と、着用者の顎の本体部と接触する部分のうち左右方向の中央最上部との最短距離が０．５ｍｍ以上である、上記（１）〜（４）のいずれかに記載のマスク。
（６）着用時において、前記主シート部の内側の表面と、着用者の頬との距離が１ｍｍ以上である、上記（１）〜（５）のいずれかに記載のマスク。
（７）前記下部帯状体及び／又は前記上部帯状体が、左右方向の最大伸張率が１．５以上である、上記（１）〜（６）のいずれかに記載のマスク。
【０００９】
（８）前記本体部が、前記下部帯状体を有し、
前記下部帯状体が、その下側の辺縁部の全部において、前記主シート部と結合しておらず、着用者の下顎に引っ掛かる伸縮顎バンドを構成する、上記（１）〜（７）のいずれかに記載のマスク。
（９）前記本体部が、前記下部帯状体を有し、
前記下部帯状体が、その下側の辺縁部の全部又は一部において、前記主シート部と結合しており、着用者の下顎を収容する顎ラップポケットを構成する、上記（１）〜（７）のいずれかに記載のマスク。
（１０）前記下部帯状体が、着用時において、折り返され、前記主シート部と着用者の肌との間に二重に存在する部分が生じる、上記（９）に記載のマスク。
（１１）前記本体部が、前記下部帯状体を有し、
前記下部帯状体とその外側のシート状物とが下側の縁部及び左右両辺において結合している、上側に開口を有する袋状部材を、前記下部帯状体が前記主シート部の内側の下部に位置するように前記シート状物において結合させて、着用者の下顎を収容する顎ラップポケットを構成する、上記（１）〜（７）のいずれかに記載のマスク。
（１２）前記顎ラップポケットが、深さ２０ｍｍ以上である、上記（９）〜（１１）のいずれかに記載のマスク。
（１３）前記本体部が、前記下部帯状体を有し、
前記下部帯状体が、スリット又は穴を有し、前記スリット又は前記穴に着用者の下顎を収容する、上記（１）〜（７）のいずれかに記載のマスク。
（１４）前記本体部が、前記上部帯状体を有し、
前記上部帯状体が、その上側の辺縁部の全部において、前記主シート部と結合しておらず、着用者の鼻に引っ掛かる伸縮鼻バンドを構成する、上記（１）〜（１３）のいずれかに記載のマスク。
（１５）前記本体部が、前記上部帯状体を有し、
前記上部帯状体が、その上側の辺縁部の全部又は一部において、前記主シート部と結合しており、着用者の鼻を収容する鼻ラップポケットを構成する、上記（１）〜（１３）のいずれかに記載のマスク。
（１６）前記上部帯状体が、着用時において、折り返され、前記主シート部と着用者の肌との間に二重に存在する部分が生じる、上記（１５）に記載のマスク。
（１７）前記本体部が、前記上部帯状体を有し、
前記上部帯状体とその外側のシート状物とが上側の縁部及び左右両辺において結合している、下側に開口を有する袋状部材を、前記上部帯状体が前記主シート部の内側の上部に位置するように前記シート状物において結合させて、着用者の鼻を収容する鼻ラップポケットを構成する、上記（１）〜（１３）のいずれかに記載のマスク。
（１８）前記鼻ラップポケットが、深さ２０ｍｍ以上である、上記（１５）〜（１７）のいずれかに記載のマスク。
【発明の効果】
【００１０】
本発明のマスクは、着用位置のずれが生じにくい。
【図面の簡単な説明】
【００１１】
【図１】本発明のマスクの一例を示す模式的な平面図である。
【図２】帯状の伸縮性材料の例を示す模式的な平面図である。
【図３】種々の帯状の伸縮性材料の例を示す模式図である。
【図４】本発明のマスクの別の一例を示す模式的な平面図である。
【図５】着用時における下部帯状体及び上部帯状体並びに主シート部の状態を示す模式図である。
【図６】左右両端部のみが主シート部に直接結合する上部帯状体を示す模式的な平面図である。
【図７】左右両端部のみが主シート部に直接結合する別の上部帯状体を示す模式的な平面図である。
【図８】左右両端部及び上縁部の全部が主シート部に直接結合する上部帯状体を示す模式的な平面図である。
【図９】左右両端部及び上縁部の全部が主シート部に直接結合する別の上部帯状体を示す模式的な平面図である。
【図１０】種々の材料及び形状の鼻ラップポケットを有するマスクを示す模式的な平面図である。
【００１２】
【図１１】種々の顎ラップポケットの模式的な平面図である。
【図１２】鼻ラップポケットを構成する上部帯状体が主シート部と間接的に結合するマスクの模式的な平面図である。
【図１３】上部帯状体を含む鼻ラップポケット構造体を示す模式図である。
【図１４】鼻ラップポケット構造体を構成する複合シート及び伸縮性複合シートを示す模式的な平面図である。
【図１５】顎ラップポケットを構成する下部帯状体が主シート部と間接的に結合するマスクの模式的な平面図である。
【図１６】下部帯状体を含む顎ラップポケット構造体を示す模式図である。
【図１７】顎ラップポケット構造体を構成する不織布シート及び伸縮性複合シートを示す模式的な平面図である。
【図１８】種々の顎ラップポケットの模式的な平面図である。
【図１９】下部帯状体及び上部帯状体が、着用時において、主シート部と着用者の肌との間に存在するように設けられている本発明のマスクの着用時の左右方向の中央部における模式的な端面図である。
【図２０】従来公知の超立体型マスクの着用時の左右方向の中央部における模式的な端面図である。
【００１３】
【図２１】本発明のマスクの更に別の一例を示す模式図である。
【図２２】図２１に示される本発明のマスクの着用時の模式図である。
【図２３】マスク内空間の説明図である。
【図２４】図２３中の上部帯状体と着用者の鼻との接触部位付近の拡大説明図である。
【図２５】マスクの着用者の顔面の動きによる寸法変化を示す模式的な説明図である。
【図２６】従来公知の超立体型マスクの着用者の顔面の動きによる着用状態の変化を示す模式的な説明図である。
【図２７】従来公知のプリーツ型マスクの着用者の顔面の動きによる着用状態の変化を示す模式的な説明図である。
【図２８】本発明のマスクの着用者の顔面の動きによる着用状態の変化を示す模式的な説明図である。
【図２９】本発明のマスクの別の一例を示す模式的な平面図である。
【図３０】実施例１で得られたマスクの模式的な平面図である。
【００１４】
【図３１】市販のプリーツ型マスクの模式的な平面図である。
【図３２】実施例２で得られたマスクの模式的な平面図である。
【図３３】市販の超立体型マスクの模式的な平面図である。
【図３４】実施例３で得られたマスクの模式的な平面図である。
【図３５】市販のガーゼマスクの模式的な平面図である。
【図３６】実施例８で得られたマスクの模式的な平面図である。
【図３７】実施例８のマスクを製造する際に用いた鼻ラップポケット構造体を有しないマスクの模式的な平面図である。
【図３８】実施例８のマスクを製造する際に用いた上部帯状体を含む鼻ラップポケット構造体を示す模式図である。
【図３９】実施例８のマスクを製造する際に用いた鼻ラップポケット構造体を構成するＰＥ／ＰＰスパンボンド不織布及び伸縮性複合シートを示す模式的な平面図である。
【発明を実施するための形態】
【００１５】
以下、本発明のマスクを添付図面に示す好適実施形態に基づいて詳細に説明する。なお、本明細書においては、本発明のマスクを実際に着用した場合に、着用者の肌に近い側を「内」といい、遠い側を「外」という。また、本発明のマスクを実際に着用した場合に、着用者の体の上側に対応する側を「上」といい、下側に対応する側を「下」という。
【００１６】
図１は、本発明のマスクの一例を示す模式的な平面図である。なお、添付した図面中の各平面図は、いずれも内側から見たものであり、図の上側にマスクの上側が位置するように図示してある。
【００１７】
本発明のマスク１００は、基本的に、着用者の鼻及び口を含む顔面下部を覆う本体部１０と、本体部１０に結合され、本体部１０を着用者の顔面下部に固定する固定部９０とを具備する。
本体部１０は、主シート部２０と、主シート部２０の内側の下部において、主シート部２０の左右両端部と直接結合し、前記左右両端部の間にわたって設けられた、帯状の伸縮性材料により形成されている、着用者の下顎を保持するための下部帯状体３０、及び、主シート部２０の内側の上部において、主シート部２０の左右両端部と直接結合し、前記左右両端部の間にわたって設けられた、帯状の伸縮性材料により形成されている、着用者の鼻を保持するための上部帯状体４０とを有する。
本発明のマスク１００は、本体部１０が下部帯状体３０及び上部帯状体４０のいずれも有しているが、本発明はこれに限定されず、本体部が下部帯状体のみを有していてもよく、また、本体部が上部帯状体のみを有していてもよい。本体部が下部帯状体及び上部帯状体のいずれも有している場合には、着用位置のずれがより生じにくくなる点で、好ましい。
【００１８】
主シート部２０は、特に限定されず、例えば、従来公知のマスクの本体部として用いられているものを用いることができる。
主シート部２０は、左右方向に延在するプリーツを有している。プリーツの数は特に限定されず、１個であってもよく、２個以上であってもよい。
本発明においては、主シート部の構造は、特に限定されない。主シート部は、プリーツを有しない平面状のものであってもよい。また、主シート部は、左右方向の中央部において外側に凸状となった立体構造であってもよい。
【００１９】
主シート部２０は、内面シートと、病原体不活性化層と、外面シートとが着用者側からこの順で積層された積層体を有するのが好ましい態様の一つである。病原体不活性化層は、後述するように、複数枚のシート状材料から構成されているのが好ましい。
【００２０】
内面シートは、特に材料を限定されない。例えば、乾式不織布、湿式不織布、スパンメルト不織布、スパンレース不織布等の不織布類；化合繊製織物；ニット類を用いることができる。中でも、目付量の低いものが、通気性が優れたものになる点で好ましい。
中でも、内面シートが多孔性であるのが好ましい態様の一つである。多孔性の材料としては、具体的には、例えば、ネット状、メッシュ状又はガーゼ状の不織布；開口フィルム；化合繊フィラメントを交織し又は編織して得られるネット、メッシュ又はレース類が挙げられる。内面シートが多孔性であると、皮膚との接触面積が小さくなり、着用者の装着感が優れたものになる。
また、内面シートが表面に畝状の凹凸構造を有するのも好ましい態様の一つである。この態様においては、皮膚との接触面積が小さくなり、かつ、クッション性を有するため、いわゆる「ソフトタッチ」な感触を得ることができ、着用者の装着感が優れたものになる。
さらに、内面シートが、本発明者が特開２００２−２３８９４６号公報で提案したような漏斗型の開口フィルムであるのも好ましい態様の一つである。この態様においては、排出された呼気を分配整流化する効果があり、積層体の表面の全体を効率的に利用することが容易となる。
【００２１】
内面シートを構成する材料は、親水性であってもよく、疎水性であってもよい。
内面シートを構成する材料としては、防汚処理、抗菌処理、撥水処理等を施した材料を用いることもできる。
内面シートを構成する材料は、その材料が着用者の口から体内に摂取される可能性もあるので、安全性の高いものであるのが好ましい。
内面シートを構成する材料は、使用中に摩擦等によって粉塵、脱落繊維くず等を発生させないものであるのが好ましい。
内面シートを構成する材料は、着用者の口唇に接して体脂肪や口紅などの化粧品が付着したり汚れたりしにくいものであるのが好ましい。
内面シートを構成する材料は、その表面で着用者から排出された病原体や常在菌が繁殖しにくいものであるのが好ましい。
【００２２】
内面シートは、積層体の全面にわたって配置することもでき、例えば、積層体のうち口唇部周辺に当接する部分のみに配置するなど、部分的に配置することもできる。
内面シートは、病原体不活性化層の上に単に積層して配置されていてもよく、内面シートの表面と病原体不活性化層の表面とは接合されて一体化されていてもよい。
内面シートと病原体不活性化層とが単に積層されている場合には、両者を分離して、内面シートを交換しうる態様とすることが容易である。この態様は、例えば、本発明のマスクを長時間継続して使用する場合に、食事、入浴等のためにマスクを取り外す際に内面シートを交換することにより、清潔な状態を保持するとともに、未使用品の優れた装着感を得ることができる。
【００２３】
外面シートは、特に材料を限定されない。例えば、乾式不織布、湿式不織布、スパンメルト不織布、スパンレース不織布等の不織布類；化合繊製織物；ニット類を用いることができる。これらの中でも、緻密な組織を有し、構成繊維繊度の比較的細かいものが、着用者の呼気が外部に排出される際の飛沫等を捕捉するため、また、着用者が外気を吸い込む際の塵等を捕捉するため、好ましい。
中でも、ＰＥ、ＰＰ、ＰＥＴ、ＥＶＡ、ＰＥ／ＰＰ複合繊維、ＰＥ／ＰＥＴ複合繊維等の合成繊維のスパンメルト不織布が好ましく、メルトブローンの複層体であるＳＭＳ、ＳＭＭＳがより好ましい。
【００２４】
外面シートを構成する材料は、親水性であってもよく、疎水性であってもよい。
外面シートを構成する材料としては、防汚処理、抗菌処理、撥水処理等を施した材料を用いることもできる。
外面シートを構成する材料は、本発明のマスクの着脱時に手で表面に触れても、表面が汚れにくいように、表面が平滑であるのが好ましい。
外面シートを構成する材料は、使用中に摩擦等によって粉塵、毛羽抜け等を発生させないものであるのが好ましい。
【００２５】
外面シートは、積層体の全面にわたって配置することもでき、部分的に配置することもできる。
外面シートは、病原体不活性化層の下に単に積層して配置されていてもよく、外面シートの表面と病原体不活性化層の表面とは接合されて一体化されていてもよい。
【００２６】
病原体不活性化層は、病原体を不活性化させるための層である。
本発明において、病原体とは、結核、インフルエンザ、肺炎、気管支炎、咽頭炎等の呼吸器疾患を生じさせる微生物、ウィルス等の総称である。具体的には、例えば、細菌類、カビ類、リケッチャ類、ダニ類、ウィルス類が挙げられる。
本発明において、不活性化とは、病原体の活性を無害化、無毒化、無力化等することを意味する。不活性化の具体的な手段としては、例えば、ろ過除去、吸着除去、熱変性、化学変性、抗体反応が挙げられる。
【００２７】
病原体不活性化層は、病原体を不活性化させる機能を奏するものであれば、構成を特に限定されないが、１枚以上のシート状材料から構成されているのが好ましく、複数枚のシート状材料から構成されているのがより好ましい。
この場合、病原体不活性化層を構成する複数枚のシート状材料のうち少なくとも１枚が、折りたたまれているのが好ましい態様の一つである。この態様においては、折り畳まれているシート状材料の折りたたまれる前の面積を折りたたまれた状態での面積で除して得られる折りたたみ率が、１．５以上であるのが好ましく、２．０以上であるのがより好ましい。
【００２８】
積層体は、その通気度が下部帯状体３０及び上部帯状体４０のいずれよりも大きいのが好ましい。この場合、呼気が積層体を通過しやすくなるため、呼気の漏れが生じにくくなる。
【００２９】
下部帯状体３０は、主シート部２０の内側の下部において設けられる。下部帯状体３０は、主シート部２０の左右両端部（濃色のハッチ部。以下、他の図においても、接合部を濃色のハッチ部で示す場合がある。）と直接結合し、前記左右両端部の間にわたって設けられている。
上部帯状体４０は、主シート部２０の内側の下部において設けられる。上部帯状体４０は、主シート部２０の左右両端部と直接結合し、前記左右両端部の間にわたって設けられている。
下部帯状体３０及び上部帯状体４０と主シート部２０との結合の方法は、特に限定されず、例えば、ホットメルト、粘着剤、超音波シール、ヒートシールが挙げられる。
マスク１００においては、下部帯状体３０及び上部帯状体４０が、いずれも主シート部２０と直接結合しているが、本発明はこれに限定されず、下部帯状体及び上部帯状体は、それぞれ、左右両端部の間にわたって設けられる状態が実現されていればよい（図１２、図１５等参照。）。
【００３０】
下部帯状体３０及び上部帯状体４０は、帯状の伸縮性材料により形成される。
伸縮性材料は、特に限定されないが、例えば、以下の３種の伸縮性材料が挙げられる。
【００３１】
（１）フィラメント状の弾性体（弾性糸）を用いた伸縮性材料
具体的には、例えば、ゴム糸、ポリウレタンフィラメント等の弾性糸を編み、又は織って得られる、テープ状又はチューブ状のいわゆるゴムバンド；弾性糸とナイロンフィラメント、ポリエステルフィラメント等の合繊フィラメントと交編し、又は交織して得られる伸縮性を持つ編み物、織物；弾性糸と紡績糸とを用いてネット状又は更に筒状に成形した伸縮包帯、筒状包帯、伸縮サポータ等の組織の変形を伴って伸縮可能な材料が挙げられる。具体的には、例えば、ウレタンフィラメントと綿糸とを交織した伸縮包帯（例えば、白十字社製の伸縮包帯）が挙げられる。
【００３２】
（２）伸縮性フィルム類
具体的には、例えば、ポリウレタンフィルム、ＥＶＡ（エチレン−酢酸ビニル共重合体）フィルム、ＳＥＢＳ（スチレン−エチレン−ブチレン−スチレン共重合体）フィルム、ＳＢＲ（スチレン−ブタジエンゴム）フィルム等の合成樹脂フィルム；ポリウレタン不織布等の合成樹脂不織布が挙げられる。伸縮性フィルム類は、いずれの方向にも等しい伸張性を有するもの、一方向のみに伸張性を有するもの、一方向の伸張性が他の方向の伸張性と異なるものが挙げられる。
【００３３】
（３）上記（１）の伸縮性材料又は上記（２）の伸縮性フィルム類と不織布との積層体
具体的には、例えば、複数の弾性糸を並列に並べて伸長させた状態で接合剤によりその上下に不織布を接合して得られる積層体；ＳＥＢＳフィルムと一方向の伸張性が大きい不織布との積層体（一方向の伸縮性がそれと直交する方向の伸縮性より大きい）が挙げられる。このような積層体の具体例として、一方向伸長性の伸縮性材料である、米国トレドガー社製のＦｌｅｘＡｉｒｅ  ５４１  Ｅｌａｓｔｉｃ  Ｌａｍｉｎａｔｅが挙げられる。
本発明のマスクにおいては、下部帯状体及び上部帯状体の左右方向の伸張性が、マスクの着用位置のずれの防止に影響を及ぼす。したがって、低い張力で左右に伸びやすく、幅方向の変形が少ない、一方向の伸縮性がそれと直交する方向の伸縮性より大きい伸縮性材料が好ましい。
【００３４】
下部帯状体３０及び上部帯状体４０に用いられる伸縮性材料は、帯状のものである。
本発明において、「帯状」とは、左右方向の長さが上下方向の長さより長く、前後方向の長さ（厚さ）がこれらよりかなり短い（薄い）ことを意味する。
図２は、帯状の伸縮性材料の例を示す模式的な平面図である。
図２に示されるように、帯状の伸縮性材料は、左右方向の長さＬが上下方向の長さＷより長い。左右方向の長さＬと上下方向の長さＷの比（Ｌ／Ｗ）は、１．５以上であるのが好ましい。
【００３５】
図３は、種々の帯状の伸縮性材料の例を示す模式図である。図３（Ａ）、図３（Ｂ）及び図３（Ｃ）は斜視図であり、図３（Ｄ）は平面図である。なお、図３に示される上下方向の長さを示す数値は、いずれも例示であり、本発明はこれらの数値に限定されない。
図３（Ａ）に示される帯状の伸縮性材料は、平織りのゴム紐である。例えば、下着の腰部に用いられているものを用いることができる。
図３（Ｂ）に示される帯状の伸縮性材料は、ポリウレタンフィラメントをウーリィナイロンフィラメントと紐状に交編したものである。
図３（Ｃ）に示される帯状の伸縮性材料は、筒状の編み包帯である。例えば、肘、膝等を伸縮的に被覆する際に用いられるもの、ヘアーバンドとして用いられるものを用いることができる。
図３（Ｄ）に示される帯状の伸縮性材料は、伸縮性フィルム類のシートを長方形に裁断したものである。
【００３６】
帯状の伸縮性材料は、下部帯状体又は上部帯状体とした場合に、左右方向の最大伸張率（非伸張時の長さに対する可逆的に伸張しうる長さの最大値の割合）が１．５以上となるのが好ましい。
本発明のマスクの着用時において、下部帯状体及び上部帯状体は、通常、最大伸張率まで伸張させて用いられずに、それよりも伸張率（非伸張時の長さに対する伸張時の長さの割合）が低い状態で用いられるのが好ましい。例えば、最大伸張率が１．５の場合は伸張率１．３程度で、最大伸張率が２．０の場合は伸張率１．５程度で用いられるように構成される。
【００３７】
下部帯状体３０は、着用時に、着用者の下顎を保持する。
下部帯状体３０は、その下側の辺縁部の全部において、主シート部２０と結合していない。よって、下部帯状体３０は、着用者の下顎に引っ掛かる伸縮顎バンドを構成している。着用時には、下部帯状体３０の中央部を内側（着用者側）向きに、かつ、やや下向きに引っ張り、下部帯状体３０の中央部を下顎の先端部より下側（喉側）に位置させた後、引っ張るのを止める。これにより、下部帯状体３０が伸張した状態で下顎の先端部より下側（喉側）に引っ掛かって下顎を保持する。その結果、固定部９０の作用と相俟って本体部１０が着用者の顔面下部に固定される。
なお、下部帯状体３０の着用者の下顎と接する面は図１において見えている面であってもよく、裏側に隠れている面であってもよく、固定時には、着用者の顎の形状等に合わせて下部帯状体３０を適宜ひねるなどしてもよい。
【００３８】
伸縮顎バンドは、上下方向の長さが１０ｍｍ以上であるのが好ましい。上下方向の長さが１５ｍｍ以上であると、着用位置のずれがより生じにくくなる。
【００３９】
上部帯状体４０は、着用時に、着用者の鼻を保持する。
上部帯状体４０は、その上側の辺縁部の全部において、主シート部２０と結合していない。よって、上部帯状体４０は、着用者の鼻に引っ掛かる伸縮鼻バンドを構成している。着用時には、上部帯状体４０の中央部を内側（着用者側）向きに、かつ、やや上向きに引っ張り、上部帯状体４０の中央部を鼻の鼻頭より上側に位置させた後、引っ張るのを止める。これにより、上部帯状体４０が伸張した状態で鼻の鼻頭又は鼻梁に引っ掛かって鼻を保持する。その結果、固定部９０の作用と相俟って本体部１０が着用者の顔面下部に固定される。
なお、上部帯状体４０の着用者の下顎と接する面は図１において見えている面であってもよく、裏側に隠れている面であってもよく、固定時には、着用者の鼻の形状等に合わせて上部帯状体４０を適宜ひねるなどしてもよい。
【００４０】
伸縮鼻バンドは、上下方向の長さが２ｍｍ以上であるのが好ましい。上下方向の長さが５ｍｍ以上であると、着用位置のずれがより生じにくくなる。
【００４１】
本発明のマスク１００において、本体部１０は、主シート部２０、下部帯状体３０及び上部帯状体４０以外の部材を有していてもよい。
【００４２】
固定部９０は、本体部１０に結合され、本体部１０を着用者の顔面下部に固定する。
固定部９０は、着用者の耳に掛けるループ状の伸縮性材料により構成されている。伸縮性材料は、特に限定されず、例えば、ゴム糸と綿との交織帯、ウレタンフィラメントとポリエステルフィラメントとの交編ネット、チューブ状に編成したウリーナイロン、伸縮性不織布が挙げられる。
中でも、本発明者が特開平６−３２８６００号公報及び特開平７−２５２７６２号公報で提案した、一方向伸張性の複合弾性体にスリット又は切り欠きを設けたものが好ましく、エラストマーフィルムの片面又は両面を不織布で積層した一方向伸張性の複合弾性体にスリット又は切り欠きを設けたものであるのがより好ましい。この場合、着用時に安定的に本体部を固定することができ、また、着用者の肌に跡が残りにくい。
【００４３】
本発明においては、固定部は、ループ状の伸縮性材料に限定されない。例えば、本体部の左右両側にそれぞれ設けられ、互いに結ぶことにより、着用者の耳に掛けることができるようにした２本の紐、眼鏡のツルの部分のように、着用者の耳に上側から掛けるようにした構造体、眼帯に用いられているのと同様の着用者の頭部に掛けるループ状のヘッドバンドが挙げられる。
【００４４】
本発明のマスク１００は、上述した各種部材を一体化（接合）させて得ることができる。一体化の方法は、特に限定されず、例えば、ミシン糸等による縫合；ホットメルト等による接着；ヒートシール、超音波シール等による溶結が挙げられる。ミシン糸による縫合の場合には、ミシン目に対して、樹脂、粘着テープ等による目止め処理を行うことができる。
【００４５】
本発明のマスク１００は、上述したように、本体部１０が、下部帯状体３０及び／又は上部帯状体４０を有するため、着用者が会話時に口を開閉したりして、顎が上下に動く場合にも、着用位置のずれが生じにくい。
【００４６】
下部帯状体及び上部帯状体について、より詳細に説明する。
図４は、本発明のマスクの別の一例を示す模式的な平面図である。
図４に示されるマスク１０２は、基本的に、マスク１００と同様であるが、本体部１２の主シート部２０に、下部帯状体３０及び上部帯状体４０の代わりに、下部帯状体３２及び上部帯状体４２が設けられている点で異なる。
【００４７】
下部帯状体３２は、下部帯状体３０と基本的に同様であるが、主シート部２０と、左右両端部のみならず、その下側の辺縁部の全部においても結合している。このように、下部帯状体３２は、着用者の下顎を収容する顎ラップポケットを構成している。着用時には、下部帯状体３２の中央部を内側（着用者側）向きに、かつ、やや下向きに引っ張り、下部帯状体３２により形成された空間に下顎を入れた後、引っ張るのを止める。これにより、下部帯状体３２が伸張した状態で下顎の先端部より下側（喉側）に引っ掛かって下顎を保持する。その結果、固定部９０の作用と相俟って本体部１０が着用者の顔面下部に固定される。
なお、下部帯状体３２の着用者の下顎と接する面は図４において裏側に隠れている面となる。
【００４８】
下部帯状体３２は、主シート部２０と、その下側の辺縁部の全部においても結合しているが、本発明はこれに限定されず、下部帯状体が、主シート部と、その下側の辺縁部の一部のみにおいて結合している態様であってもよい。
【００４９】
顎ラップポケットは、深さ（上下方向の長さの最大値）が２０ｍｍ以上であるのが好ましい。深さが２０ｍｍ以上であると、着用位置のずれがより生じにくくなる。
【００５０】
上部帯状体４２は、上部帯状体４０と基本的に同様であるが、主シート部２０と、左右両端部のみならず、その上側の辺縁部の全部においても結合している。このように、上部帯状体４２は、主シート部２０との間に着用者の鼻を収容する鼻ラップポケットを構成している。着用時には、上部帯状体４２の中央部を内側（着用者側）向きに、かつ、やや上向きに引っ張り、上部帯状体４２により形成された空間に鼻を入れた後、引っ張るのを止める。これにより、上部帯状体４２が伸張した状態で鼻の鼻頭又は鼻梁に引っ掛かって鼻を保持する。その結果、固定部９０の作用と相俟って本体部１０が着用者の顔面下部に固定される。
なお、上部帯状体４２の着用者の鼻と接する面は図４において裏側に隠れている面となる。
【００５１】
上部帯状体４２は、主シート部２０と、その上側の辺縁部の全部においても結合しているが、本発明はこれに限定されず、上部帯状体が、主シート部と、その上側の辺縁部の一部のみにおいて結合している態様であってもよい。
【００５２】
鼻ラップポケットは、深さ（上下方向の長さの最大値）が２０ｍｍ以上であるのが好ましい。深さが２０ｍｍ以上であると、着用位置のずれがより生じにくくなる。
【００５３】
このように、下部帯状体及び上部帯状体は、いずれも主シート部と左右両端部のみで結合していてもよく（図１に示される伸縮顎バンド及び伸縮鼻バンドの態様）、更に下側又は上側の辺縁部の全部又は一部においても結合していてもよい（図４に示される顎ラップポケット及び鼻ラップポケットの態様）。
【００５４】
着用時における下部帯状体及び上部帯状体並びに主シート部の状態について説明する。
図５は、着用時における下部帯状体及び上部帯状体並びに主シート部の状態を示す模式図である。
図５（Ａ）は、図１に示されるマスク１００の着用時の状態を示す。下部帯状体３０は伸縮顎バンドを構成して、着用者の下顎に引っ掛かって下顎を保持している。また、上部帯状体４０は伸縮鼻バンドを構成して、着用者の鼻に引っ掛かって鼻を保持している。
図５（Ａ）に示される状態となるようにするためには、例えば、伸縮顎バンド及び伸縮鼻バンドに用いられる伸縮性材料として、ウレタンフィラメントと綿糸とを交織した伸縮包帯（例えば、白十字社製の伸縮包帯）を用い、伸縮顎バンド及び伸縮鼻バンドの上下方向の長さをそれぞれ３０ｍｍとする方法が挙げられる。
また、下部帯状体３０及び上部帯状体４０は、図５（Ａ）に示されるように、主シート部２０と着用者の肌との間に存在（介在）することにより、主シート部２０の内面と着用者の肌との接触を防ぐように働いている。
【００５５】
図５（Ｂ）は、図４に示されるマスク１０２の着用時の状態を示す。下部帯状体３２は顎ラップポケットを構成して、着用者の下顎全体から両頬に至る部位を被覆して、下顎を保持している。また、上部帯状体４２は鼻ラップポケットを構成して、着用者の鼻全体から両頬に至る部位を被覆して、鼻を保持している。
図５（Ｂ）に示される状態となるようにするためには、例えば、顎ラップポケット及び鼻ラップポケットに用いられる伸縮性材料として、一方向伸長性の伸縮性材料（例えば、米国トレドガー社製のＦｌｅｘＡｉｒｅ  ５４１  Ｅｌａｓｔｉｃ  Ｌａｍｉｎａｔｅ）を用い、顎ラップポケット及び鼻ラップポケットの深さをそれぞれ５０ｍｍとする方法が挙げられる。
また、下部帯状体３２及び上部帯状体４２は、図５（Ｂ）に示されるように、主シート部２０と着用者の肌との間に存在（介在）することにより、主シート部２０の内面と着用者の肌との接触を防ぐように働いている。したがって、図５（Ｂ）においては、主シート部２０の内側の表面と着用者の肌とが接触していない。この態様では、着用者が会話時に口を開閉したりして、顎が上下に動く場合にも、その動きが主シート部２０に伝わりにくいため、着用位置のずれがより生じにくい。
このように、主シート部２０の内側の表面と着用者の肌とが接触しないようにするためには、例えば、下部帯状体３２をその下側の辺縁部の主シート部２０との結合部より上の位置において折り返した状態で着用者の下顎を収容する構造とし、かつ、上部帯状体４２をその上側の辺縁部の主シート部２０との結合部より下の位置において折り返した状態で着用者の鼻を収容する構造とする態様が挙げられる。この態様においては、少なくとも、下部帯状体３２及び上部帯状体４２の折り返し部分の厚さの分だけ、主シート部２０の内側の表面と着用者の肌との間が離間する程度は更に大きくなる。
【００５６】
図５（Ｃ）は、マスク１０４の着用時の状態を示す。マスク１０４は、基本的に、マスク１００と同様であるが、本体部１４の主シート部２０に、上部帯状体４０の代わりに、マスク１０２におけるのと同様の上部帯状体４２が設けられている点で異なる。
下部帯状体３０は伸縮顎バンドを構成して、着用者の下顎に引っ掛かって下顎を保持している。また、上部帯状体４２は鼻ラップポケットを構成して、着用者の鼻全体から両頬に至る部位を被覆して、鼻を保持している。
また、下部帯状体３０及び上部帯状体４２は、図５（Ｃ）に示されるように、主シート部２０と着用者の肌との間に存在（介在）することにより、主シート部２０の内面と着用者の肌との接触を防ぐように働いている。
【００５７】
図５（Ｄ）は、マスク１０６の着用時の状態を示す。マスク１０６は、基本的に、マスク１００と同様であるが、本体部１６の主シート部２０に、下部帯状体３０の代わりに、マスク１０２におけるのと同様の下部帯状体３２が設けられている点で異なる。
下部帯状体３２は顎ラップポケットを構成して、着用者の下顎全体から両頬に至る部位を被覆して、下顎を保持している。また、上部帯状体４０は伸縮鼻バンドを構成して、着用者の鼻に引っ掛かって鼻を保持している。
また、下部帯状体３２及び上部帯状体４０は、図５（Ｄ）に示されるように、主シート部２０と着用者の肌との間に存在（介在）することにより、主シート部２０の内面と着用者の肌との接触を防ぐように働いている。
【００５８】
さらに、下部帯状体及び上部帯状体の変形状態について、種々の上部帯状体を例に挙げて説明する。
図６は、左右両端部のみが主シート部に直接結合する上部帯状体を示す模式的な平面図である。
図６の上側の図に示されるように、上部帯状体は、左右方向の長さがＬ０であり、上下方向の長さがこれよりかなり短い（例えば、７ｍｍ）。
上部帯状体は、左右方向の中央部を指でつまんで下側に引っ張ると、図６の下側の図に示されるように、上縁部の左右方向の長さがＬ１、下縁部の左右方向の長さがＬ２となる。この場合、上下方向の長さが相対的にかなり短い態様であるので、Ｌ１とＬ２とはほぼ等しくなる。
【００５９】
図７は、左右両端部のみが主シート部に直接結合する別の上部帯状体を示す模式的な平面図である。
図７の上側の図に示されるように、上部帯状体は、左右方向の長さがＬ０であり、上下方向の長さがこれより短いが幅広である（例えば、５０ｍｍ）。
上部帯状体は、左右方向の中央部の下縁部の付近を指でつまんで下側に引っ張ると、図７の下側の図に示されるように、上縁部の左右方向の長さがＬ３、下縁部の左右方向の長さがＬ４となる。この場合、上下方向の長さが相対的にかなり長い態様であるので、つままれた下縁部の付近と上縁部の付近とではその変形状態が異なってくる。具体的には、Ｌ３よりもＬ４がかなり長くなる。また、上縁部と下縁部との間の部分の変形状態も、上側よりも下側において変形率が高くなる。すなわち、変形前には（１）、（２）、（３）及び（４）の部分の長さは等しいが、これらに相当する部分の変形後の（１）’、（２）’、（３）’及び（４）’の長さは、（１）’＜（２）’＜（３）’＜（４）’となる。
【００６０】
図６及び図７で示されるような上部帯状体は、伸縮鼻バンドを構成するものである。本発明においては、このような伸縮鼻バンドや伸縮顎バンドは、上述したような変形状態を考慮して材質、形状等を決定することになる。
【００６１】
図８は、左右両端部及び上縁部の全部が主シート部に直接結合する上部帯状体を示す模式的な平面図である。
図８の上側の図に示されるように、上部帯状体は、左右方向の長さがＬ０であり、上下方向の長さ（主シート部に結合している部分を除く。以下「深さ」ともいう。）がこれより短い（例えば、２０ｍｍ）。
上部帯状体は、左右方向の中央部の下縁部の付近を指でつまんで下側に引っ張ると、図８の下側の図に示されるように、上縁部は固定されているので上縁部の左右方向の長さはＬ０で変わらず、下縁部の左右方向の長さがＬ０より長いＬ５となる。また、上縁部と下縁部との間の部分の変形状態も、上側よりも下側において変形率が高くなる。すなわち、変形前には（１）及び（２）の部分の長さは等しいが、これらに相当する部分の変形後の（１）’及び（２）’の長さは、（１）’＜（２）’となる。
この態様では、上部帯状体は、左右両端部及び上縁部の３辺が主シート部に固定されているため、伸縮性材料の伸縮率よりも伸縮性が悪くなる。
【００６２】
図９は、左右両端部及び上縁部の全部が主シート部に直接結合する別の上部帯状体を示す模式的な平面図である。
図９の上側の図に示されるように、上部帯状体は、左右方向の長さがＬ０であり、上下方向の長さがこれより短いが、図８に示される上部帯状体よりも長くなっている（例えば、５０ｍｍ）。
上部帯状体は、左右方向の中央部の下縁部の付近を指でつまんで下側に引っ張ると、図９の下側の図に示されるように、上縁部は固定されているので上縁部の左右方向の長さはＬ０で変わらず、下縁部の左右方向の長さがＬ０より長いＬ６となる。また、上縁部と下縁部との間の部分の変形状態も、上側よりも下側において変形率が高くなる。すなわち、変形前には（１）、（２）及び（３）の部分の長さは等しいが、これらに相当する部分の変形後の（１）’、（２）’及び（３）’の長さは、（１）’＜（２）’＜（３）’となる。
この態様では、上部帯状体は、左右両端部及び上縁部の３辺が主シート部に固定されているため、伸縮性材料の伸縮率よりも伸縮性が悪くなるが、図８に示される上部帯状体と比べると、上下方向の長さが長いため、上縁部が固定されていることの影響が少なくなっており、伸びやすくなっている。
【００６３】
図８及び図９で示されるような上部帯状体は、鼻ラップポケットを構成するものである。本発明においては、このような鼻ラップポケットや顎ラップポケットは、上述したような変形状態を考慮して材質、形状等を決定することになる。
特に、鼻ラップポケットは、鼻頭及び小鼻が複雑な曲線形状を形成している上、その形状には大きな個人差がある点を考慮するのが好ましい。従来のマスクにおいては、鼻の周辺において、呼気が漏れたりずれたりしやすいという問題があった。
本発明においては、鼻ラップポケットは、鼻頭及び小鼻を被覆する態様が好ましく、更に、鼻梁も被覆する態様（図５（Ｂ）及び図５（Ｃ）参照。）がより好ましい。鼻ラップポケットが鼻梁も被覆する場合は、小鼻の周辺において多少の隙間が生じても呼気の漏れが生じにくい。
鼻ラップポケットの深さは、上記観点から、左右方向の中央部において、２０ｍｍ以上であるのが好ましく、３０ｍｍ以上であるのがより好ましい。
また、鼻ラップポケットの深さは、着用時に着用者の眼の付近まで被覆しないなどの扱いやすさの点から、１００ｍｍ以下であるのが好ましい。
【００６４】
鼻ラップポケットについて、用いられる伸縮性材料と形状との関係を説明する。
図１０は、種々の材料及び形状の鼻ラップポケットを有するマスクを示す模式的な平面図である。図１０においては、主シート部及び鼻ラップポケットのみを示している。図１０中には、後述する作製したサンプルにおける主シート部及び鼻ラップポケットの大きさも示した。
図１０（Ａ）に示されるマスク１０２ａは、主シート部２０の上部に、非伸縮性材料である上部帯状体４２ａが左右両端部のみならず、その上側の辺縁部の全部においても結合しており、鼻ラップポケットを構成している。
後述する着用試験においては、上部帯状体４２ａが、非伸縮性材料であるＰＰ・ＳＭＳ不織布（Ａｖｇｏｌ社製、目付１３ｇ／ｍ2、破断伸び３０％）からなり、長方形の形状であり、主シート部２０に熱シールにより結合されたサンプルを用いた。
【００６５】
図１０（Ｂ）に示されるマスク１０２ｂは、上部帯状体４２ａの代わりに非伸縮性材料である上部帯状体４２ｂを用いた以外は、マスク１０２ａと同じである。
後述する着用試験においては、上部帯状体４２ｂとして、上部帯状体４２ａの下縁部付近に２本の４７０デシテックスのウレタンフィラメントを１．３倍に延伸させた状態で粘着剤により結合して取り付けたサンプルを用いた。
【００６６】
図１０（Ｃ）に示されるマスク１０２ｃは、上部帯状体４２ａの代わりに伸縮性材料である上部帯状体４２ｃを用いた以外は、マスク１０２ａと同じである。
後述する着用試験においては、上部帯状体４２ｃとして、一方向伸縮性の伸縮性材料であるＳＥＢＳフィルムとＰＰ不織布の複合弾性体（米国トレドガー社製、目付４０ｇ／ｍ2、破断伸び２２０％）を、１．３倍に伸張させた状態で主シート部２０に熱シールにより結合されたサンプルを用いた。
【００６７】
図１０（Ｄ）に示されるマスク１０２ｄは、上部帯状体４２ｃの代わりに伸縮性材料である上部帯状体４２ｄを用いた以外は、マスク１０２ｃと同じである。
後述する着用試験においては、上部帯状体４２ｄとして、上部帯状体４２ｃの左右方向の中央部における上下方向の長さを長くしたものを用いたサンプルを用いた。
【００６８】
図１０（Ｅ）に示されるマスク１０２ｅは、上部帯状体４２ｃの代わりに伸縮性材料である上部帯状体４２ｅを用いた以外は、マスク１０２ｃと同じである。
後述する着用試験においては、上部帯状体４２ｅとして、上部帯状体４２ｃの左右方向の中央部における上下方向の長さを短くしたものを用いたサンプルを用いた。
【００６９】
図１０に示される各マスクについて着用試験を行った。着用試験は、マスクを被験者に着用させて、着用性並びに被覆状態及び鼻周辺の隙間の発生状態を評価することにより行った。第１表に結果を示す。
【００７０】
【表１】
0005662076.tif 000002
【００７１】
第１表から明らかなように、鼻ラップポケットが非伸縮性材料である上部帯状体により構成されている場合（マスク１０２ａ及び１０２ｂ）は、着用するのが困難であり、また、鼻周辺で隙間が生じてしまう。
これに対し、鼻ラップポケットが伸縮性材料である上部帯状体により構成されている場合（マスク１０２ｃ、１０２ｄ及び１０２ｅ）は、着用するのが容易であり、かつ、鼻周辺で隙間が発生せず、又は発生してもわずかである。中でも、鼻ラップポケットを構成する上部帯状体の左右方向の中央部における上下方向の長さを長くした場合（マスク１０２ｄ）は、極めて好ましいことが分かる。
【００７２】
顎ラップポケット及び鼻ラップポケットの形状について説明する。
図１１は、種々の顎ラップポケットの模式的な平面図である。図１１（Ａ）〜図１１（Ｆ）においては、主シート部（図示せず）との結合部を実線で、開口部を点線で示している。なお、顎ラップポケットは、実線部分のすべてにおいて主シート部と結合していてもよく、実線部分の一部において主シート部と結合していてもよい。
図１１（Ａ）に示される顎ラップポケットは、下部帯状体３４ａが横長の長方形の形状であり、その左右両縁部及び下縁部が主シート部と結合することにより構成されている。
図１１（Ｂ）に示される顎ラップポケットは、下部帯状体３４ｂが横長かつ上辺が下辺より長い台形の形状であり、その左右両縁部及び下縁部が主シート部と結合することにより構成されている。
【００７３】
図１１（Ｃ）に示される顎ラップポケットは、下部帯状体３４ｃが弦の部分が上側になっているほぼ半円の形状であり、その左右両縁部から下縁部にかけての弧の部分が主シート部と結合することにより構成されている。
図１１（Ｄ）に示される顎ラップポケットは、下部帯状体３４ｄが底辺の部分が上側になっている横長の二等片三角形の形状であり、その左右両縁部から下縁部にかけての二つの辺の部分が主シート部と結合することにより構成されている。
本発明においては、図１１（Ｃ）及び図１１（Ｄ）に示される顎ラップポケットのように、下部帯状体の左右両縁部と下縁部とが一体となっており、明確な分離が難しい態様であっても、主シート部の左右両端部の間にわたって設けられるものに該当しうる。
【００７４】
図１１（Ｅ）に示される顎ラップポケットは、下部帯状体３４ｅが横長の七角形の形状であり、その左右両縁部から下縁部にかけての六つの辺の部分が主シート部と結合することにより構成されている。
図１１（Ｆ）に示される顎ラップポケットは、下部帯状体３４ｆが横長の六角形の形状であり、その左右両縁部から下縁部にかけての五つの辺の部分が主シート部と結合することにより構成されている。
本発明においては、図１１（Ｅ）及び図１１（Ｆ）に示される顎ラップポケットのように、多角形の下部帯状体を用いることができ、その場合、一辺のみが主シート部と結合していない態様に限られず、複数の辺が主シート部と結合していなくてもよい。例えば、図１１（Ｅ）において、結合していない一つの辺の左右両側の二つの辺が結合していない態様であってもよい。
【００７５】
上述した種々の顎ラップポケットの形状において、角張った部分については、角を丸めてソフトな感覚に仕上げることも好ましい態様の一つである。
【００７６】
上記では、図１１を用いて顎ラップポケットを例に挙げて説明したが、鼻ラップポケットについても同様である。
【００７７】
上述したように、本発明においては、顎ラップポケット及び鼻ラップポケットは、主シート部の左右両端部の間にわたって設けられるものであれば、形状を特に限定されない。
【００７８】
顎ラップポケットを構成する下部帯状体及び鼻ラップポケットを構成する上部帯状体は、それぞれ、主シート部の左右両端部の間にわたって設けられるものであれば、主シート部と直接結合するものであってもよく、主シート部と間接的に結合するものであってもよい。
【００７９】
図１２は、鼻ラップポケットを構成する上部帯状体が主シート部と間接的に結合するマスクの模式的な平面図である。なお、図１２中の大きさは、後述する実施例６のマスクにおけるものであり、本発明を限定するものではない（図１４においても同様である。）。
図１２に示されるマスク１０８は、基本的に、着用者の鼻及び口を含む顔面下部を覆う本体部１８と、本体部１８に結合され、本体部１８を着用者の顔面下部に固定する固定部９０とを具備する。
本体部１８は、主シート部２０と、主シート部２０の内側の上部において、主シート部２０の左右両端部と間接的に結合し、前記左右両端部の間にわたって設けられた、帯状の伸縮性材料により形成されている、着用者の鼻を保持するための上部帯状体５０を含む鼻ラップポケット構造体を有する。上部帯状体５０及びそれを主シート部２０に連結する部材等について、以下詳細に説明する。
【００８０】
図１３は、上部帯状体を含む鼻ラップポケット構造体を示す模式図である。図１３（Ａ）は平面図であり、図１３（Ｂ）は図１３（Ａ）中のＸＩＩＩＢ−ＸＩＩＩＢ線に沿った横端面図である。
また、図１４は、鼻ラップポケット構造体を構成する複合シート及び伸縮性複合シートを示す模式的な平面図である。
図１３に示される鼻ラップポケット構造体６０は、図１３（Ａ）及び図１３（Ｂ）に示されるように、複合シート６２とその内側の伸縮性複合シート６４とを、それらの上縁部及び左右両縁部で結合したものである。
具体的には、複合シート６２は、特に限定されず、例えば、ＰＥ／ＰＰスパンボンド不織布（例えば、チッソ社製、目付２０ｇ／ｍ2）６２ａとその外側のＬＬＤ・ＰＥフィルム（例えば、東燃化学社製、２０μｍ）６２ｂとをラミネートして得られるものを用いることができる。複合シート６２は、図１４（Ａ）に示されるような平面形状をしている。複合シート６２の台形状に切り欠いている部分は、口唇部に当たる部分であり、このような切り欠き部が存在することにより、空気の流通がしやすくなっている。
また、伸縮性複合シート６４は、帯状の伸縮性材料により形成されているものであれば特に限定されず、例えば、平面方向において等方性の伸縮性を有するポリウレタンフィルム（例えば、シーダム社製、２５μｍ）６４ａとその外側の左右方向に一方向性の伸縮性を有するＰＥ／ＰＥＴスパンレース不織布（例えば、ユニチカ社製、３０ｇ／ｍ2）６４ｂとを熱融着によって結合させて得られるものを用いることができる。伸縮性複合シート６４は、図１４（Ｂ）に示されるような平面形状をしている。
複合シート６２の内側に伸縮性複合シート６４を、ＰＥ／ＰＰスパンボンド不織布６２ａとＰＥ／ＰＥＴスパンレース不織布６４ｂとが隣接するように積層し、それらの上縁部及び左右両縁部を熱融着によって結合させることにより、鼻ラップポケット構造体６０を得ることができる。
【００８１】
図１２に示されるマスク１０８の本体部１８は、主シート部２０に、上述したような鼻ラップポケット構造体６０を結合させて得ることができる。本体部１８においては、鼻ラップポケット構造体６０の伸縮性複合シート６４が、上部帯状体５０として機能する。
鼻ラップポケット構造体６０と主シート部２０との結合は、例えば、複合シート６２と主シート面２０との間に用意される結合手段によって行うことができる。結合手段は、特に限定されず、例えば、面ファスナー、接着剤、粘着剤等により結合させる方法が挙げられる。
図１２に示されるマスク１０８の本体部１８においては、主シート部２０の上縁部より上に鼻ラップポケット構造体６０の上縁部が位置するように主シート部２０と鼻ラップポケット構造体６０とが結合されているが、本発明においては、主シート部と鼻ラップポケット構造体との位置関係は特に限定されず、伸縮性複合シート６４が、上部帯状体５０として機能するように、主シート部２０の左右両端部の間にわたって設けられていればよい。
【００８２】
図１２に示されるマスク１０８のように、主シート部に、鼻ラップポケット構造体のような別体を設けることにより、その一部を上部帯状体として機能させる態様は、本発明の好適な態様の一つである。
すなわち、上部帯状体（マスク１０８においては伸縮性複合シート６４）とその外側のシート状物（マスク１０８においては複合シート６２）とが上側の縁部及び左右両辺において結合している、下側に開口を有する袋状部材（マスク１０８においては鼻ラップポケット構造体６０）を、前記上部帯状体が前記シート部の内側の上部に位置するように前記シート状物において結合させて、着用者の鼻を収容する鼻ラップポケットを構成するのは、本発明の好適な態様の一つである。
なお、図１２に示されるマスク１０８においては、上部帯状体及びシート状物として、いずれも二つの材料を複合した部材を用いたが、本発明はこれに限定されず、それぞれ単一の材料からなる部材であってもよく、三つ以上の部材を複合した部材であってもよい。例えば、後述する実施例８においては、シート状物として、スパンボンド不織布からなる部材を用いている。
【００８３】
図１５は、顎ラップポケットを構成する下部帯状体が主シート部と間接的に結合するマスクの模式的な平面図である。なお、図１５中の大きさは、後述する実施例７のマスクにおけるものであり、本発明を限定するものではない（図１７においても同様である。）。
図１５に示されるマスク１０９は、基本的に、着用者の鼻及び口を含む顔面下部を覆う本体部１９と、本体部１９に結合され、本体部１９を着用者の顔面下部に固定する固定部９０とを具備する。
本体部１９は、主シート部２０と、主シート部２０の内側の下部において、主シート部２０の左右両端部と間接的に結合し、前記左右両端部の間にわたって設けられた、帯状の伸縮性材料により形成されている、着用者の鼻を保持するための下部帯状体７０を含む顎ラップポケット構造体を有する。下部帯状体７０及びそれを主シート部２０に連結する部材等について、以下詳細に説明する。
【００８４】
図１６は、下部帯状体を含む顎ラップポケット構造体を示す模式図である。図１６（Ａ）は平面図であり、図１６（Ｂ）は図１６（Ａ）中のＸＶＩＢ−ＸＶＩＢ線に沿った横端面図である。
また、図１７は、顎ラップポケット構造体を構成する不織布シート及び伸縮性複合シートを示す模式的な平面図である。
図１６に示される顎ラップポケット構造体８０は、図１６（Ａ）及び図１６（Ｂ）に示されるように、不織布シート８２とその内側の伸縮性複合シート８４とを、それらの下縁部及び左右両縁部で結合したものである。
具体的には、不織布シート８２は、通気性であるのが好ましく、例えば、ガーゼ状のＴＣＦ不織布（例えば、＃４０３、フタムラ化学社製、目付３０ｇ／ｍ2）を用いることができる。不織布シート８２は、図１７（Ａ）に示されるような平面形状をしている。
顎ラップポケット構造体８０は、不織布シート８２の二等辺三角形状の部分が露出する形状であり、この露出した部分は、口唇が接する部位を想定している。なお、図１７（Ａ）中の点線で囲んだ３箇所の部分（外側の面）には、はく離層を持つ粘着テープが設けられている。
また、伸縮性複合シート８４は、帯状の伸縮性材料により形成されているものであれば特に限定されず、例えば、平面方向において等方性の伸縮性を有するポリウレタンフィルム（例えば、シーダム社製、２５μｍ）８４ａとその外側の左右方向に一方向性の伸縮性を有するＰＥ／ＰＥＴスパンレース不織布（例えば、ユニチカ社製、３０ｇ／ｍ2）８４ｂとを熱融着によって結合させて得られるものを用いることができる。伸縮性複合シート８４は、図１７（Ｂ）に示されるような平面形状をしている。
不織布シート８２の内側に伸縮性複合シート８４を、不織布シート８２とＰＥ／ＰＥＴスパンレース不織布８４ｂとが隣接するように、かつ、不織布シート８２の上縁部が伸縮性複合シート８４の上縁部からはみ出すように積層し、それらの下縁部及び左右両縁部を熱融着によって結合させることにより、顎ラップポケット構造体８０を得ることができる。
【００８５】
図１５に示されるマスク１０９の本体部１９は、主シート部２０に、上述したような顎ラップポケット構造体８０を結合させて得ることができる。本体部１９においては、顎ラップポケット構造体８０の伸縮性複合シート８４が、下部帯状体７０として機能する。
主シート部２０と顎ラップポケット構造体８０との結合は、上述した不織布シート８２の裏面に用意された粘着テープにより行われる。
図１５に示されるマスク１０９の本体部１９においては、主シート部２０の下縁部より下に顎ラップポケット構造体８０の下縁部が位置するように、かつ、主シート部２０の左右両縁部より左右方向の外側に顎ラップポケット構造体８０の左右両縁部が位置するように、主シート部２０と顎ラップポケット構造体８０とが結合されているが、本発明においては、主シート部と顎ラップポケット構造体との位置関係は特に限定されず、伸縮性複合シート８４が、下部帯状体７０として機能するように、主シート部２０の左右両端部の間にわたって設けられていればよい。
【００８６】
図１５に示されるマスク１０９のように、主シート部に、顎ラップポケット構造体のような別体を設けることにより、その一部を下部帯状体として機能させる態様は、本発明の好適な態様の一つである。
すなわち、下部帯状体（マスク１０９においては伸縮性複合シート８４）とその外側のシート状物（マスク１０９においては不織布シート８２）とが下側の縁部及び左右両辺において結合している、上側に開口を有する袋状部材（マスク１０９においては顎ラップポケット構造体８０）を、前記下部帯状体が前記シート部の内側の下部に位置するように前記シート状物において結合させて、着用者の下顎を収容する顎ラップポケットを構成するのは、本発明の好適な態様の一つである。
なお、図１５に示されるマスク１０９においては、下部帯状体として、二つの材料を複合した部材を用いたが、本発明はこれに限定されず、単一の材料からなる部材であってもよく、三つ以上の部材を複合した部材であってもよい。また、図１５に示されるマスク１０９においては、シート状物として、単一の材料からなる部材を用いたが、本発明はこれに限定されず、二つ以上の部材を複合した部材であってもよい。
【００８７】
本発明においては、下部帯状体及び上部帯状体により、それぞれ顎ラップポケット及び鼻ラップポケットを設ける方法として、上述したように、例えば、下部帯状体及び上部帯状体を直接主シート部と結合させる方法、下部帯状体を用いた袋状部材及び上部帯状体を用いた袋状部材を主シート部に結合させる方法、これらを組み合わせた方法（例えば、下部帯状体は直接主シート部と結合させ、上部帯状体はそれを用いた袋状部材を主シート部と結合させる方法、下部帯状体はそれを用いた袋状部材を主シート部と結合させ、上部帯状体は直接主シート部と結合させる方法）が挙げられる。
下部帯状体及び上部帯状体を直接主シート部と結合させる方法は、材料費が安価であり、また、製造工程が簡易であるという利点がある。
下部帯状体を用いた袋状部材及び上部帯状体を用いた袋状部材を主シート部に結合させる方法は、袋状部材を主シート部に結合させる態様により、下部帯状体及び上部帯状体がそれぞれ主シート部の左右縁部より左右方向の外側や内側に位置するようにすることができる。袋状部材と主シート部との結合は比較的簡単であるため、主シート部の構造と袋状部材の構造を、それぞれ独立して設計することができ、多様な態様を実現することができる。
また、袋状部材を着脱可能にして、着用により袋状部材が汚れた場合には袋状部材のみを脱着して廃棄し、主シート部は洗濯可能な材料により構成して複数回使用することもできる。
【００８８】
上述したような袋状部材を用いた顎ラップポケット及び鼻ラップポケットの形状について説明する。
図１８は、種々の顎ラップポケットの模式的な平面図である。図１８（Ａ）及び図１８（Ｂ）においては、顎ラップポケットの縁部を実線で、開口部を点線で示している。なお、顎ラップポケットと主シート部（図示せず）との結合は、図１７（Ａ）で説明したように、顎ラップポケットの縁部で結合しなくてもよく、ずれないように部分的に粘着剤等で結合すればよい。
図１８（Ａ）に示される顎ラップポケットは、下部帯状体７２が横長の長方形の形状であり、下部帯状体７２とその外側のシート状物７２ａとが下側の縁部及び左右両辺においてシート状物７２ａの上縁部がはみ出るように結合し、上側に開口を有する袋状部材を構成している。袋状部材と主シート部との結合は、通常は、シート状物７２ａの外側の面に設けられた結合手段によって行われる。
図１８（Ｂ）に示される顎ラップポケットは、下部帯状体７４が横長の長方形の形状であり、下部帯状体７４とその外側のシート状物７４ａ（上縁部中央に切り欠き部を有する。）とが下側の縁部及び左右両辺において結合し、上側に開口を有する袋状部材を構成している。袋状部材と主シート部との結合は、通常は、シート状物７４ａの外側の面に設けられた結合手段によって行われる。
この袋状部材を用いる態様においては、下部帯状体とシート状物とは重なり合う部分があればよく、形状を特に限定されない。
以上、顎ラップポケットを例に挙げて説明したが、鼻ラップポケットについても同様である。
【００８９】
また、本発明においては、下部帯状体が、スリット又は穴を有し、前記スリット又は前記穴に着用者の下顎を収容するのが好ましい態様の一つである。
図２９は、本発明のマスクの別の一例を示す模式的な平面図である（ただし、フラップ３６ｂについては、斜視図的に図示してある。）。なお、図２９中の大きさは、後述する実施例４のマスクにおけるものであり、本発明を限定するものではない。
図２９に示されるマスク１１２は、基本的に、マスク１０２と同様であるが、本体部１７の主シート部２０に、下部帯状体３２の代わりに、下部帯状体３６が設けられている点で異なる。
下部帯状体３６は、基本的に下部帯状体３２と同様であるが、スリット３６ａを有する点及びフラップ３６ｂを有する点で異なる。
スリット３６ａは、着用時に、着用者の下顎を収容する。これにより、下部帯状体３６による下顎の収容がより確実になり、ずれがより生じにくくなる。
フラップ３６ｂは、下顎を収容する際に引き出して、スリット３６ａに下顎を挿入しやすくする効果を奏する。
なお、下部帯状体３６はスリット３６ａを有するものであるが、下部帯状体は、スリットの代わりに穴を有していても、同様の効果を得ることができる。
【００９０】
本発明においては、下部帯状体、及び／又は、上部帯状体が、着用時において、主シート部と着用者の肌との間に存在するように設けられているのが好ましい態様の一つである。
図１９は、下部帯状体及び上部帯状体が、着用時において、主シート部と着用者の肌との間に存在するように設けられている本発明のマスクの着用時の左右方向の中央部における模式的な端面図である。
図１９に示されるマスク１０２は、図４及び図５（Ｂ）に示されるマスク１０２であり、上述したように、下部帯状体３２が、その下側の辺縁部の全部において、主シート部２０と結合しており（図１９中、斜線部が結合部）、着用者の肌Ｗのうち下顎ＷＣを収容する顎ラップポケットを構成し、かつ、上部帯状体４２が、その上側の辺縁部の全部において、主シート部２０と結合しており（図１９中、斜線部が結合部）、着用者の肌Ｗのうち鼻頭ＷＮを収容する鼻ラップポケットを構成している。
下部帯状体３２は、図１９に示されるように、着用時において、折り返され、主シート部２０と着用者の肌Ｗとの間に二重に存在する部分が生じ、また、上部帯状体４２は、図１９に示されるように、着用時において、折り返され、主シート部２０と着用者の肌Ｗとの間に二重に存在する部分が生じている。また、着用者の肌Ｗのうち口唇ＷＬはマスク１０２のいずれの部分とも接触していない。
このような構造により、着用時において、主シート部２０の内側の表面と着用者の肌Ｗとが接触しないようになっている。
【００９１】
図２０は、従来公知の超立体型マスクの着用時の左右方向の中央部における模式的な端面図である。
図２０に示されるマスク２００は、着用時に、本体シート部２１０の内面が着用者の肌Ｗのうち下顎ＷＣ及び鼻頭ＷＮと直接接触している。
このように、従来公知のいわゆる超立体型マスクにおいては、着用者の肌が、下顎及び鼻頭、更には両頬で、本体シート部の内面に強く接触する。これはいわゆる立体型マスクにおいても同様である。
また、従来公知のプリーツ型マスクにおいては、立体型マスクと同様に、下顎、鼻頭及び両頬で本体シート部の内面に接触するし、また、更に口の部分でも接触することがある。
上述したように、従来公知のマスクにおいては、いずれも、着用者の肌が本体シート部の内面と接触する構造となっている。
これに対し、上述した、下部帯状体、及び／又は、上部帯状体が、着用時において、主シート部と着用者の肌との間に存在するように設けられている本発明の態様においては、容易に、主シート部の内側の表面と着用者の肌とが接触しないという着用状態（フローティング状態）を実現させることができる。
【００９２】
さらに、下部帯状体、及び／又は、上部帯状体が、着用時において、主シート部と着用者の肌との間に存在するように設けられている本発明の態様について説明する。
図２１は、本発明のマスクの更に別の一例を示す模式図である。図２１（Ａ）は平面図であり、図２１（Ｂ）は斜視図である。なお、図２１中の大きさは、後述する実施例５のマスクにおけるものであり、本発明を限定するものではない。
図２１に示されるマスク１１０は、基本的に、マスク１０２と同様であるが、本体部１１の主シート部２０に、下部帯状体３２及び上部帯状体４２の代わりに、これらとは形状が異なる下部帯状体３４及び上部帯状体４４が設けられている点と、固定部９０の代わりに、これとは形状が異なる固定部９２が設けられている点で異なる。
下部帯状体３４は、上下方向の長さが左右両縁部と左右方向の中央部において長く、その中間（左右２箇所）が短くなっている。
上部帯状体４４は、上下方向の長さが左右両縁部と左右方向の中央部において長く、その中間（左右２箇所）が短くなっている。
下部帯状体３４と上部帯状体４４とは、左右両縁部付近において、上部帯状体４４が外側、下部帯状体３４が内側になるように、重なった状態で主シート部２０に結合されている。具体的には、主シート部２０の左右両縁部において、上部帯状体４４の両縁部が結合し、主シート部２０の左右両縁部及び上部帯状体４４の両縁部の下部帯状体３４と重なった部分において、下部帯状体３４の両縁部が結合している。
固定部９２は、固定部９０と形状が異なっている。
【００９３】
図２２は、図２１に示される本発明のマスクの着用時の模式図である。図２２（Ａ）は着用者の顔の正面側から見た図であり、図２２（Ｂ）は着用者の顔の右側面側から見た図である。図２２においては、下部帯状体及び上部帯状体の存在状態を明りょうに示すため、主シート部を省略してある。
マスク１１０においては、下部帯状体３４及び上部帯状体４４が、着用時において、主シート部（図示せず）と着用者の肌との間に存在するように設けられている。
下部帯状体３４は、着用者の顔面の下顎から顎骨を経由して両頬に至る部分において着用者の顔面に接触するように設けられている。また、上部帯状体４４は、顔面の鼻頭から小鼻を経由して両頬に至る部分において着用者の顔面に接触するように設けられている。
下部帯状体３４と上部帯状体４４とは、上述したように、左右両縁部付近において重なっている部分があるから、着用者の顔面の口唇の周辺部を取り囲むように、環状の構造を形成している。主シート部は、この下部帯状体３４と上部帯状体４４の外側に位置することになる。したがって、主シート部は、着用者の顔面と接触しない状態（フローティング状態）となっている。換言すれば、主シート部と口唇の周辺部との間には、空間が形成されている。
このように、下部帯状体３４及び上部帯状体４４並びに主シート部は、口唇の周辺部と接触していないから、着用者は話をしたり、口で呼吸をしたりする際に、負担を感じることがない。また、鼻の穴部は、口唇の周辺部の空間に開放されているから、鼻で呼吸する際にも、負担を感じることがない。
また、下部帯状体３４は、下顎を被覆する部分で折り返されて二重になっている。上部帯状体４４は、鼻頭を被覆する部分で折り返されて二重になっている。このように、下部帯状体３４及び上部帯状体４４が着用時において、折り返され、主シート部と着用者の肌との間に二重に存在する部分が生じているため、容易に、主シート部の内側の表面と着用者の肌とが接触しないという着用状態（フローティング状態）を実現させることができる。また、下部帯状体３４及び上部帯状体４４が折り返されているため、着用者の肌との密着性が高くなり、呼気の漏れが生じにくくなっているという利点もある。
なお、図２１に示されるマスク１１０は、下部帯状体３４及び上部帯状体４４の両方を有する態様であるが、本発明はこれに限定されず、下部帯状体のみを有していてもよいし、上部帯状体のみを有していてもよい。
【００９４】
主シート部と着用者の肌との間に形成される空間（以下「マスク内空間」ともいう。）について、更に説明する。
図２３は、マスク内空間の説明図である。
図２３は、基本的に、図５（Ｂ）と同じであるが、マスク内空間の説明のための符号を追記してある。
Ｐは、主シート部２０の内側の表面と、着用者の鼻の本体部１２と接触する部分のうち左右方向の中央最下部との最短距離である。
Ｑは、主シート部２０の内側の表面と、着用者の上唇の左右方向の中央最下部との最短距離である。
Ｒは、主シート部２０の内側の表面と、着用者の顎の本体部１２と接触する部分のうち左右方向の中央最上部との最短距離である。
Ｓは、主シート部２０の内側の表面と、口唇を閉じた状態において上下の唇の合わせ目から外側に向かう延長線上の着用者の口角から２０ｍｍの位置にある頬の部分との最短距離である。
Ｐ、Ｑ、Ｒ及びＳをそれぞれ、又は総称して、「マスク内空間距離」という。
【００９５】
着用時に、主シート部の内側の表面と着用者の肌とが接触しない本発明の態様は、例えば、図２３に示されるように、下部帯状体３２が、着用時において、前記主シート部と着用者の肌との間に存在するように設けられ、かつ、上部帯状体４２が、着用時において、前記主シート部と着用者の肌との間に存在するように設けられることにより実現すること。また、上部帯状体４２は着用者の鼻と接触し、主シート部２０を支持する。したがって、Ｐ（主シート部２０の内側の表面と、着用者の鼻の上部帯状体４２と接触する部分のうち左右方向の中央最下部との最短距離）及びＲ（主シート部２０の内側の表面と、着用者の顎の下部帯状体３２と接触する部分のうち左右方向の中央最上部との最短距離）は、それぞれ、主に上部帯状体４２及び下部帯状体３２の厚さに依存することになる。この点について、更に、Ｐに関し、図を用いて説明する。
【００９６】
図２４は、図２３中の上部帯状体４２と着用者の鼻との接触部位付近の拡大説明図である。図２４に示されるように、Ｐ（主シート部２０の内側の表面と、着用者の鼻の上部帯状体４２と接触する部分のうち左右方向の中央最下部との最短距離）は、着用時に折り返すように設けられている上部帯状体４２の２枚分の厚さ、折り返された上部帯状体４２の距離及び上部帯状体４２と主シート部２０との接合部分（例えば、接着剤）の厚さの合計とほぼ等しくなる。したがって、上部帯状体４２が折り返されることによって、その２枚分の厚さがＰに寄与することが分かる。すなわち、上部帯状体４２が、着用時において、折り返され、主シート部２０と着用者の肌との間に二重に存在する部分が生じる構造により、主シート部と着用者の肌との間に一重の上部帯状体のみが存在する場合や、主シート部と着用者の肌との間に上部帯状体が存在しない場合に比べて、Ｐを大きくすることができ、フローティング状態を実現しやすくしているのである。
【００９７】
図２４を用いてＰに関し説明したが、Ｒについても同様であり、下部帯状体３２が、着用時において、折り返され、主シート部２０と着用者の肌との間に二重に存在する部分が生じる構造により、主シート部と着用者の肌との間に一重の上部帯状体のみが存在する場合や、主シート部と着用者の肌との間に下部帯状体が存在しない場合に比べて、Ｒを大きくすることができ、フローティング状態を実現しやすくしているのである。
【００９８】
Ｐ及びＲは、それぞれ、０．５ｍｍ以上であるのが好ましく、１ｍｍ以上であるのがより好ましい。上記範囲であると、フローティング状態を実現しやすく、ひいては、ずれが生じにくくなる。また、Ｐ及びＲは、それぞれ、１０ｍｍ以下であるのが好ましく、５ｍｍ以下であるのがより好ましい。上記範囲であると、ぶかぶかした感覚がなく、着用感が優れたものとなる。
Ｐ及びＲは、それぞれ上記範囲とするためには、上部帯状体４２及び下部帯状体３２の厚さを特定の範囲にする方法が挙げられる。
例えば、上部帯状体４２及び下部帯状体３２として、伸縮性フィルム類、弾性糸と紡績糸とを用いてネット状に成形した伸縮包帯又はこれらと不織布との積層体を用いる場合、市販品では０．５ｍｍ以上であるのが通常であるため、これらを用いることにより、上部帯状体４２及び下部帯状体３２を主シート部２０と着用者の肌との間に二重に存在させることにより、Ｐ及びＲをそれぞれ１ｍｍ以上とすることが容易となる。
また、上部帯状体４２及び下部帯状体３２を、伸張させた状態で主シート部２０に結合させ、その後、収縮させることにより、凹凸が生じ、Ｐ及びＲを大きくすることができる。
【００９９】
口唇部は、通常のマスクでは一番汚れやすい部分であり、一方最も清潔に保つべき部位でもある。そのため、Ｑは、３ｍｍ以上であるのが好ましく、５ｍｍ以上であるのがより好ましい。上記範囲であると、のどあめをなめたり、ガムやチョコレートを口中に含んだりしても、それによって主シート部の内側の面を汚しにくいし、また、着用者が口紅をしている場合において、話をしても、口紅が主シート部に移りにくい。また、Ｑは、２５ｍｍ以下であるのが好ましく、２０ｍｍ以下であるのがより好ましい。上記範囲であると、ぶかぶかした感覚がなく、着用感が優れたものとなる。
【０１００】
Ｓは、１ｍｍ以上であるのが好ましく、２ｍｍ以上であるのがより好ましい。上記範囲であると、話をしたりしている時に、口元が主シート部の内側の面に触れる煩わしさを抑制することができる。また、Ｓは、１５ｍｍ以下であるのが好ましく、１０ｍｍ以下であるのがより好ましい。上記範囲であると、ぶかぶかした感覚がなく、着用感が優れたものとなる。
【０１０１】
Ｐ、Ｑ、Ｒ及びＳの関係は、特に限定されないが、通常、Ｑ＞Ｓ＞Ｐ≒Ｒとなる。
【０１０２】
Ｐ、Ｑ、Ｒ及びＳの測定方法は、以下のとおりである。
着用者が着用するマスクの主シート部のＰ、Ｑ、Ｒ及びＳを測定する位置に、穴あけポンチ（直径５ｍｍ）を用いて丸穴を開ける。ついで、端部から長さの目盛り（０．５ｍｍ単位）の入ったプラスチック製の丸棒（直径３ｍｍ）を丸穴に挿入し、Ｐ、Ｑ、Ｒ及びＳを測定する着用者の肌の位置に接触した状態で目盛りを読み、挿入された部分の長さを測定する。さらに、主シート部の厚さを測定して、挿入された部分の長さから差し引いて、Ｐ、Ｑ、Ｒ及びＳを算出する。
なお、目盛りの読み取りは０．５ｍｍ単位で行う。主シート部の内側の表面と着用者の肌とが接触している場合は、０ｍｍとする。少なくとも着用者４名の測定値の平均（ただし、０．５ｍｍ単位に丸める。）を算出して、Ｐ、Ｑ、Ｒ及びＳの値とする。
【０１０３】
本発明のマスク１００において、本体部１０は、主シート部２０、下部帯状体３０及び上部帯状体４０以外の部材を有していてもよい。
例えば、本体部１０は、図１に示されるように、上部帯状体４０を有しているが、本発明のマスクにおいては、上部帯状体の代わりに、主シート部の上部に設けられた、着用者の鼻の形状に沿って変形しうるテープ部材や、主シート部の上部に設けられた、着用者の鼻の形状に沿って変形しうるワイヤー部材を用いることもできる。これらは、上部帯状体と併用することもできる。
【０１０４】
着用者の鼻の形状に沿って変形しうるテープ部材及び着用者の鼻の形状に沿って変形しうるワイヤー部材は、主シート部の上部に設けられる。鼻の突起部は形状の起伏が大きいため、また、鼻頭には強いテンションが掛かりやすいために、鼻の根元には隙間が生じやすい。これらは、このような隙間が生じることを抑制する。
着用者の鼻の形状に沿って変形しうるテープ部材及び着用者の鼻の形状に沿って変形しうるワイヤー部材は、特に限定されず、例えば、従来のマスクに用いられているノーズフィット用のテープ部材やワイヤー部材を用いることができる。具体的には、例えば、アルミニウム等の金属テープ、合成樹脂製ロッドが挙げられる。
【０１０５】
図１に示される本発明のマスク１００において、固定部９０は、本体部１０に結合され、本体部１０を着用者の顔面下部に固定する。
固定部９０は、着用者の耳に掛けるループ状の伸縮性材料により構成されている。伸縮性材料は、特に限定されず、例えば、ゴム糸と綿との交織帯、ウレタンフィラメントとポリエステルフィラメントとの交編ネット、チューブ状に編成したウリーナイロン、伸縮性不織布が挙げられる。
中でも、本発明者が特開平６−３２８６００号公報及び特開平７−２５２７６２号公報で提案した、一方向伸張性の複合弾性体にスリット又は切り欠きを設けたもの（例えば、図２１に示される固定部９２）が好ましく、エラストマーフィルムの片面又は両面を不織布で積層した一方向伸張性の複合弾性体にスリット又は切り欠きを設けたものであるのがより好ましい。この場合、着用時に安定的に本体部を固定することができ、また、着用者の肌に跡が残りにくい。
【０１０６】
本発明においては、固定部は、ループ状の伸縮性材料に限定されない。例えば、本体部の左右両側にそれぞれ設けられ、互いに結ぶことにより、着用者の耳に掛けることができるようにした２本の紐、眼鏡のツルの部分のように、着用者の耳に上側から掛けるようにした構造体、眼帯に用いられているのと同様の着用者の頭部に掛けるループ状のヘッドバンド、着用者の頬等で密着させる粘着材が挙げられる。
【０１０７】
本発明のマスク１００は、上述した各種部材を一体化させて得ることができる。一体化の方法は、特に限定されず、例えば、ミシン糸等による縫合；ホットメルト等による接着；ヒートシール、超音波シール等による溶結が挙げられる。ミシン糸による縫合の場合には、ミシン目に対して、樹脂、粘着テープ等による目止め処理を行うことができる。
【０１０８】
本発明のマスクの作用効果について説明する。
図２５は、マスクの着用者の顔面の動きによる寸法変化を示す模式的な説明図である。図２５（Ａ）は着用者が口を閉じている状態を示し、図２５（Ｂ）は着用者が口を開いている状態を示す。
図２５に示されるように、口を上下に開くと、鼻頭と顎下端との距離はＬａからＬｂへと長くなり（差をΔＬとする。）、また、顎下端を通り両頬を結ぶ長さもＷ１ａからＷ１ｂへと長くなる（差をΔＷとする。）。他方、鼻の付け根付近を通り両頬を結ぶ長さはＷ２ａからＷ２ｂへとほとんど変化しない。
上述したように、口を上下に開くと、鼻頭と顎下端との距離はΔＬ、顎下端を通り両頬を結ぶ長さはΔＷだけ大きくなるから、マスク本体が鼻頭及び顎下端に接触する場合や、マスク本体が両頬から顎下端にかけて接触する場合は、この変化がマスクの着用状態に大きな影響を及ぼす。以下、より具体的に説明する。
【０１０９】
図２６は、従来公知の超立体型マスクの着用者の顔面の動きによる着用状態の変化を示す模式的な説明図である。図２６（Ａ）は着用者が口を閉じている状態を示し、図２６（Ｂ）は着用者が口を開いている状態を示す。なお、図２６においては、超立体型マスクの本体シート部を網掛け部で示し、その他の部分は図示を省略した。
図２６に示されるように、超立体型マスクは、着用者が口を開くと、本体シート部が顎の移動に伴って下方に大きくずれる（矢印）。これは、超立体型マスクにおいては、顎の部位で本体シート部と顔面が強く接触しているためである。着用者が口の開閉を繰り返すと、このずれが繰り返され、場合によっては本体シート部が鼻からずり落ちてしまう状況に至る。
【０１１０】
図２７は、従来公知のプリーツ型マスクの着用者の顔面の動きによる着用状態の変化を示す模式的な説明図である。図２７（Ａ）は着用者が口を閉じている状態を示し、図２７（Ｂ）は着用者が口を開いている状態を示す。なお、図２７においては、プリーツ型マスクの本体シート部を網掛け部で示し、その他の部分は図示を省略した。
図２７に示されるように、プリーツ型マスクは、着用者が口を開くと、本体シート部のプリーツが開き、上下方向に伸びた形状となる。しかしながら、本体シート部の左右両縁部が中央に引っ張られて左右に大きい隙間が生じ（矢印）、呼気の漏れが生じる。
【０１１１】
図２８は、本発明のマスクの着用者の顔面の動きによる着用状態の変化を示す模式的な説明図である。図２８（Ａ）は着用者が口を閉じている状態を示し、図２８（Ｂ）は着用者が口を開いている状態を示す。なお、図２８においては、本発明のマスクの本体部の主シート部を網掛け部で示し、本体部の下部帯状体及び上部帯状体を斜線部で示し、その他の部分は図示を省略した。
図２８に示されるように、本発明のマスクは、着用者が口を開くと、顎を収容する下部帯状体が主シート部の下縁より下側にはみ出るように伸び、顎の移動に伴う主シート部の下方へのずれはほとんど生じない（矢印）。また、呼気の漏れも生じない。
上述したように、従来公知のマスクにおいては、着用者の顔面の動きにより、ずれが生じたり、呼気の漏れが生じたりすることは避けられなかった。これに対し、本発明のマスクは、着用者の顔面の動きにより、主シート部のずれが生じたり、呼気の漏れが生じたりすることがない。これは、下部帯状体及び／又は上部帯状体が帯状の伸縮性材料により形成されているため、この伸縮性材料の伸縮効果により、着用者の顔面の動きが吸収され、主シート部に伝わらないようになっているからである。この効果は、フローティング状態が実現されている場合には、より大きくなる。
【０１１２】
以上、本発明のマスクを図示の各実施形態に基づいて説明したが、本発明は、これらに限定されるものではなく、例えば、各部の構成は、同様の機能を発揮しうる任意の構成と置換することができる。
また、各実施形態における各部の構成を任意に組み合わせて、別の実施形態とすることもできる。
【０１１３】
本発明のマスクは、着用位置のずれが生じにくいため、種々の用途に好適に用いられる。
【実施例】
【０１１４】
以下、本発明について実施例を用いてより詳細に説明する。ただし、本発明は、これらの実施例に限定されない。
【０１１５】
１．マスクの製造
（実施例１）  鼻バンドと顎ラップポケットとを組み合わせた態様
以下のようにして、図３０に示されるマスク１１４を製造した。なお、マスク１１４は、図５（Ｄ）に示されるマスク１０６とほぼ同じであるが、顎ラップポケットの深さが深い点、及び、鼻の形状に沿って変形しうるワイヤー部材を有している点で異なる。マスク１１４の大きさは、図３０中に示したとおりである。
図３１に示される市販のプリーツ型マスク（フィッティ７ｄａｙマスク、玉川衛材社製）を用意した。このマスクは、本体シート部の上縁部中央付近に、鼻の形状に沿って変形しうるワイヤー部材（図中、点線部）を有している。このマスクの大きさは、図３１中に示したとおりである。
この市販のプリーツ型マスクに、以下のようにして、帯状の伸縮性材料からなる鼻バンド（上部帯状体）と帯状の伸縮性材料からなる顎ラップポケット（下部帯状体）とを取り付け、マスク１１４を得た。
鼻バンドは、ゴム糸と綿糸とを交織した幅１０ｍｍのゴム糸バンド（フジハト製パジャマゴム、破断伸び２１０％）を、市販のプリーツ型マスクの本体シート部（マスク１１４の主シート部に相当する。）の内側の面に未伸長の状態で、本体シート部の上縁から下側に１０ｍｍの位置にゴム糸バンドの上縁が位置するように、左右両端をゴム系接着剤で結合させて取り付けた。
また、厚さ３０μｍのポリウレタンフィルムの表裏両面に、易伸張性のスパンレース不織布（ユニチカ製，ＰＥ／ＰＥＴ１．５ｄ×５１ｍｍ、レーヨン２ｄ×５１ｍｍの５０／５０混合繊維、２０ｇ／ｍ2）を熱結合して得られた３層構造の伸縮複合体（コンペラ、（株）日本吸収体技術研究所製、破断伸び２７０％）を、幅５０ｍｍに裁断し、約３０％伸長させた状態で、下縁及び左右両縁をゴム系結合剤で本体シート部の下縁及び左右両縁に結合させて、ほぼ５０ｍｍの深さを持つ顎ラップポケットを取り付けた。
【０１１６】
（実施例２）  鼻バンドと顎バンドとを組み合わせた態様
以下のようにして、図３２に示されるマスク１１６を製造した。マスク１１６の大きさは、図３２中に示したとおりである。
図３３に示される市販の超立体型マスク（超立体ウイルスガードやや大きめサイズ、ユニチャーム社製）を用意した。このマスクは、本体シート部の上縁部の中央付近の左右両側に、鼻の形状に沿って変形しうるワイヤー部材（図中、点線部）を有している。このマスクの大きさは、図３３中に示したとおりである。
この市販の超立体型マスクに、以下のようにして、帯状の伸縮性材料からなる鼻バンド（上部帯状体）と帯状の伸縮性材料からなる顎バンド（下部帯状体）とを取り付け、マスク１１６を得た。
鼻バンドは、ゴム糸と綿糸とを交織した幅１０ｍｍのゴム糸バンド（フジハト製パジャマゴム、破断伸び２１０％）を、市販の超立体型マスクの本体シート部（マスク１１６の主シート部に相当する。）の内側の面に未伸長の状態で、本体シート部の上縁中央の頂点から下側に４０ｍｍの位置にゴム糸バンドの上縁が位置するように、左右両端をゴム系接着剤で結合させて取り付けた。
顎バンドは、ゴム糸と綿糸とを交織した幅１０ｍｍのゴム糸バンド（フジハト製パジャマゴム、破断伸び２１０％）を、市販の超立体型マスクの本体シート部の内側の面に未伸長の状態で、本体シート部の下縁中央の頂点から上側に２０ｍｍの位置にゴム糸バンドの下縁が位置するように、左右両端をゴム系接着剤で結合させて取り付けた。
【０１１７】
（実施例３）  鼻ラップポケットと顎バンドとを組み合わせた態様
以下のようにして、図３４に示されるマスク１１８を製造した。なお、マスク１１８は、図５（Ｃ）に示されるマスク１０４とほぼ同じであるが、鼻ラップポケットの深さが深い点で異なる。マスク１１８の大きさは、図３４中に示したとおりである。
図３５に示される市販のガーゼマスク（エアークリーンマスク、白鳩社製）を用意した。このマスクの大きさは、図３５中に示したとおりである。
この市販のガーゼマスクに、以下のようにして、帯状の伸縮性材料からなる鼻ラップポケット（上部帯状体）と帯状の伸縮性材料からなる顎バンド（下部帯状体）とを取り付け、マスク１１８を得た。
鼻ラップポケットは、幅６０ｍｍの伸縮包帯（抗菌シンシクタイ、ニチバン社製、破断伸び２２０％）を、市販のガーゼマスクの本体シート部（マスク１１８の主シート部に相当する。）の内側の面に未伸長の状態で、上縁及び左右両縁を本体シート部の上縁及び左右両縁にミシンにより２本線で縫い付けて結合させて、取り付けた。
顎バンドは、径２０ｍｍの伸縮自在の筒状アミ包帯（ワンタッチネット包帯、興和社製、破断伸び１５０％）を、市販のガーゼマスクの本体シート部の内側の面に未伸長の状態で、本体シート部の下縁から上側に１３ｍｍの位置に筒状アミ包帯の下縁が位置するように、左右両縁を本体シート部の左右両縁にミシンにより２本線で縫い付けて結合させて、取り付けた。
【０１１８】
（実施例４）  鼻ラップポケットと顎ラップポケット（下顎収容用スリット付き）とを組み合わせた態様
以下のようにして、図２９に示されるマスク１１２を製造した。マスク１１２の大きさは、図２９中に示したとおりである。
図３５に示される市販のガーゼマスクに、以下のようにして、帯状の伸縮性材料からなる鼻ラップポケット（上部帯状体）と帯状の伸縮性材料からなる下顎収容用スリットを有する顎ラップポケット（下部帯状体）とを取り付け、マスク１１２を得た。
鼻ラップポケットは、幅４０ｍｍの伸縮包帯（抗菌シンシクタイ、ニチバン社製、破断伸び２２０％）を、市販のガーゼマスクの本体シート部（マスク１１２の主シート部に相当する。）の内側の面に未伸長の状態で、上縁及び左右両縁を本体シート部の上縁及び左右両縁にミシンにより２本線で縫い付けて結合させて、取り付けた。
顎ラップポケットは、チューブ状ネット包帯（ププレ切って使えるネット包帯、日進医療機社製）を切り開いて平面状にして、縦４０ｍｍ、横１４０ｍｍのシートを切り出し、左右方向の中央部に上縁から２０ｍｍのところに長さ６０ｍｍの横スリットを、はさみを用いてカットして設けたものを、市販のガーゼマスクの本体シート部の内側の面に未伸長の状態で、下縁及び左右両縁（ただし、下から３０ｍｍの部分のみ。）を本体シート部の下縁及び左右両縁にミシンにより２本線で縫い付けて結合させて、取り付けた。
【０１１９】
（実施例５）  鼻ラップポケットと顎ラップポケットとを組み合わせた態様
以下のようにして、図２１に示されるマスク１１０を製造した。マスク１１０の大きさは、図２１中に示したとおりである。
主シート部２０は、内側の表面を構成するシートであるＰＥ不織布（ＤＥＬＮＥＴ、三昌社製、目付２０ｇ／ｍ2）と、外側の表面を構成するシートであるＰＰ製のＳＭＭＳ不織布（Ａｖｇｏｌ社製、目付１３ｇ／ｍ2）との間に、病原体不活性化シートとして、ＰＥ／ＰＥＴ複合繊維（ユニチカ社製、１．５ｄ×５１ｍｍ）に銀被覆ポリエステル繊維（シルファイバー、三菱マテリアル社製、２ｄ×５１ｍｍ）を３％混合したウェブを熱処理して得たシート（目付４０ｇ／ｍ2）を挟んだ積層体を用いた。主シート部２０は、左右方向の長さが２００ｍｍ、上下方向の長さが１００ｍｍであった。
下部帯状体３４及び上部帯状体４４は、それぞれ、合成ゴムフィルムの両面を不織布で挟んだ複合体である一方向伸長性の伸縮体（Ｆｌｅｘ  Ａｉｒｅ  ５４１  Ｅｌａｓｔｉｃ  Ｌａｍｉｎａｔｅ、トレドガー社製、目付９５ｇ／ｍ2）を用いた。この伸縮体は、左右方向の長さが１６０ｍｍで、上下方向の長さが左右端部で６０ｍｍ、中央部が４０ｍｍとなるように、片側を波型形状に裁断して用いた。
主シート部２０の内側の表面の上部に、上記伸縮体の１枚を、１．２５倍に伸張させた状態で重ね、上縁部及び左右側縁部を熱シールにより結合させて鼻ラップポケット（上部帯状体４４）を形成した。ついで、主シート部２０の内側の表面の下部に、上記伸縮体のもう１枚を上下を逆にして、１．２５倍に伸張させた状態で重ね（一部は上部帯状体４４の上に重なった。）、下縁部及び左右側縁部を熱シールにより結合させて顎ラップポケット（下部帯状体３４）を形成した。
さらに、固定部材９２として、合成ゴムフィルムの両面を不織布で挟んだ複合体である一方向伸長性の伸縮体（Ｆｌｅｘ  Ａｉｒｅ  ５４１  Ｅｌａｓｔｉｃ  Ｌａｍｉｎａｔｅ、トレドガー社製、目付９５ｇ／ｍ2）を用い、耳掛け用の切り欠きを設けた上で、本体部１１の左右両端部にそれぞれ熱シールにより結合させて取り付けた。
【０１２０】
（実施例６）  袋状部材により構成された鼻ラップポケットを有する態様（その１）
以下のようにして、図１２に示されるマスク１０８を製造した。マスク１０８の大きさは、図１２中に示したとおりである。
図３１に示される市販のプリーツ型マスクに、以下のようにして、帯状の伸縮性材料からなる上部帯状体５０を含む鼻ラップポケット構造体６０を取り付け、マスク１０８を得た。
（１）鼻ラップポケット構造体の製造
ＰＥ／ＰＰスパンボンド不織布（チッソ社製、２０ｇ／ｍ2）６２ａとＬＬＤ・ＰＥフィルム（東燃化学社製、２０μｍ）６２ｂとをラミネートして得られた複合シート６２を用意した。複合シート６２は、図１４（Ａ）に示すような切り欠きを持つ形状に裁断したものであった。切り欠いた部分は、マスク１０８の着用時に鼻からの吸気及び排気を容易にすることを目的とする。
平面方向において等方性の伸縮性を有するポリウレタンフィルム（シーダム社製、２５μｍ）６４ａと左右方向に一方向性の伸縮性を有するＰＥ／ＰＥＴスパンレース不織布（ユニチカ社製、３０ｇ／ｍ2）６４ｂとを熱融着によって結合させて得られた伸縮性複合シート６４を用意した。伸縮性複合シート６４の破断伸びは１９０％であった。伸縮性複合シート６４は、図１４（Ｂ）に示すような形状をしていた。伸縮性複合シート６４は、マスク１０８において、上部帯状体５０となる。
上記で用意した複合シート６２と伸縮性複合シート６４とを重ね合わせて、上縁及び左右両縁の３辺を熱融着によって結合させ、図１３に示される鼻ラップポケット構造体６０を得た。
鼻ラップポケット構造体６０の材料構成は、図１３（Ｂ）に示されるように、内側（図中、上側）から、ポリウレタンフィルム６４ａ、ＰＥ／ＰＥＴスパンレース不織布６４ｂ、ＰＥ／ＰＰスパンボンド不織布６２ａ及びＬＬＤ・ＰＥフィルム６２ｂの順であった。
（２）鼻ラップポケット構造体の取付け
鼻ラップポケット構造体６０のＬＬＤ・ＰＥフィルム６２ｂの表面に粘着剤を塗布し、市販のプリーツ型マスクの本体シート部（マスク１０８の主シート部２０に相当する。）の内側の表面に、図１２に示すように、本体シート部の上縁から１０ｍｍ上側に突き出るような位置に貼り付けて、マスク１０８を得た。
【０１２１】
（実施例７）  袋状部材により構成された顎ラップポケットを有する態様
以下のようにして、図１５に示されるマスク１０９を製造した。マスク１０９の大きさは、図１５中に示したとおりである。
図３１に示される市販のプリーツ型マスクに、以下のようにして、帯状の伸縮性材料からなる下部帯状体７０を含む顎ラップポケット構造体８０を取り付け、マスク１０９を得た。
（１）顎ラップポケット構造体の製造
ガーゼ状のＴＣＦ不織布（＃４０３、二村化学社製、３０ｇ／ｍ2）を図１７（Ａ）に示されるような形状に裁断して、不織布シート８２とした。不織布シート８２の外側の面に、図１７（Ａ）中、点線で囲まれている部分において、市販のプリーツ型マスクの本体シート部と結合させるための粘着テープを、はく離用テープの付いた状態で設けた。
平面方向において等方性の伸縮性を有するポリウレタンフィルム（シーダム社製、２５μｍ）８４ａと左右方向に一方向性の伸縮性を有するＰＥ／ＰＥＴスパンレース不織布（ユニチカ社製、３０ｇ／ｍ2）８４ｂとを熱融着によって結合させて得られた伸縮性複合シート８４を用意した。伸縮性複合シート８４の破断伸びは１９０％であった。伸縮性複合シート８４は、図１７（Ｂ）に示すような形状をしていた。伸縮性複合シート８４は、マスク１０９において、下部帯状体７０となる。
上記で用意した不織布シート８２と伸縮性複合シート８４とを重ね合わせて、下縁及び左右両縁の３辺をホットメルト接着剤によって結合させ、図１６に示される顎ラップポケット構造体８０を得た。
顎ラップポケット構造体８０の材料構成は、図１６（Ｂ）に示されるように、内側（図中、上側）から、ポリウレタンフィルム８４ａ、ＰＥ／ＰＥＴスパンレース不織布８４ｂ及び不織布シート（ＴＣＦ不織布）８２の順であった。
図１６（Ａ）に示される顎ラップポケット構造体８０の上部の二等辺三角形状をした部分は、伸縮性複合シート８４が存在せず、不織布シート８２が露出している部分であり、マスク１０９においては、着用者の口唇と接触する部位になる。
（２）顎ラップポケット構造体の取付け
顎ラップポケット構造体８０の不織布シート８２の粘着テープから、はく離用テープをはく離させ、市販のプリーツ型マスクの本体シート部（マスク１０９の主シート部２０に相当する。）の内側の表面に、図１５に示すように、本体シート部の下縁から１０ｍｍ下側に突き出るような位置に貼り付けて、マスク１０９を得た。
【０１２２】
（実施例８）  袋状部材により構成された鼻ラップポケットを有する態様（その２）
以下のようにして、図３６に示されるマスク１２０を製造した。
まず、実施例５の主シート部２０と同様の材料からなり、図３７に示される五角形の形状を有する本体シート部（マスク１２０の主シート部２２に相当する。）に、ゴム紐の耳掛け（マスク１２０の固定部９１に相当する。）を左右に結合して、図３７に示されるマスク２０２を製造した。マスク２０２の大きさは、図３７中に示したとおりである。
図３７に示されるマスク２０２に、以下のようにして、帯状の伸縮性材料からなる上部帯状体５２を含む鼻ラップポケット構造体６１を取り付け、マスク１２０を得た。
（１）鼻ラップポケット構造体の製造
ＰＥ／ＰＥＴスパンボンド不織布（ユニチカ社製、２０ｇ／ｍ2）６３を図３９（Ａ）に示されるような形状に裁断した。ＰＥ／ＰＥＴスパンボンド不織布６３の外側の面に、図３９（Ａ）中、点線で囲まれている部分において、マスク２０２の本体シート部と結合させるための粘着テープを、はく離用テープの付いた状態で設けた。
実施例７の伸縮性複合シート８４と同様の材料からなり、図３９（Ｂ）に示される形状の伸縮性複合シート６５を用意した。伸縮性複合シート６５は、マスク１２０において、上部帯状体５２となる。
上記で用意したＰＥ／ＰＥＴスパンボンド不織布６３と伸縮性複合シート６５とを重ね合わせて、上縁及び左右両縁の３辺を熱融着によって結合させ、図３８に示される鼻ラップポケット構造体６１を得た。なお、図３８において、図３８（Ａ）は平面図であり、図３８（Ｂ）は図３８（Ａ）中のＸＸＸＶＩＩＩＢ−ＸＸＸＶＩＩＩＢ線に沿った横端面図である。
鼻ラップポケット構造体６１の材料構成は、図３８（Ｂ）に示されるように、内側（図中、上側）から、ポリウレタンフィルム６５ａ、ＰＥ／ＰＥＴスパンレース不織布６５ｂ及びＰＥ／ＰＰスパンボンド不織布６３の順であった。
（２）鼻ラップポケット構造体の取付け
鼻ラップポケット構造体６１のＰＥ／ＰＥＴスパンボンド不織布６３の粘着テープから、はく離用テープをはく離させ、マスク２０２の本体シート部の内側の表面に、図３６に示すように、本体シート部の上部の左右両縁からわずかにはみ出すような位置に貼り付けて、マスク１２０を得た。
【０１２３】
２．マスクの評価
（１）実施例１のマスクの評価
実施例１で得られたマスクと、下部帯状体及び上部帯状体を取り付ける前の図３１に示される市販のプリーツ型マスクとを用いて、男女各２名（合計４名）に着用させ、着用状態を評価した。
評価項目及び結果を第２表に示す。なお、マスク内空間距離は、０．５ｍｍ単位で測定し、着用者４名の測定値の平均（０．５ｍｍ単位に丸めたもの）を算出した（以下同様）。
【０１２４】
【表２】
0005662076.tif 000003
【０１２５】
（２）実施例２のマスクの評価
実施例２で得られたマスクと、下部帯状体及び上部帯状体を取り付ける前の図３３に示される市販の超立体型マスクとを用いて、男女各２名（合計４名）に着用させ、着用状態を評価した。
評価項目及び結果を第３表に示す。
【０１２６】
【表３】
0005662076.tif 000004
【０１２７】
（３）実施例３のマスクの評価
実施例３で得られたマスクと、下部帯状体及び上部帯状体を取り付ける前の図３５に示される市販のガーゼマスクとを用いて、男女各２名（合計４名）に着用させ、着用状態を評価した。
評価項目及び結果を第４表に示す。
【０１２８】
【表４】
0005662076.tif 000005
【０１２９】
（４）実施例４のマスクの評価
実施例４で得られたマスクと、下部帯状体及び上部帯状体を取り付ける前の図３５に示される市販のガーゼマスクとを用いて、男女各２名（合計４名）に着用させ、着用状態を評価した。なお、実施例４のマスクは、着用者の下顎の先端をスリット３６ａに挿入した状態で着用した。
評価項目及び結果を第５表に示す。
【０１３０】
【表５】
0005662076.tif 000006
【０１３１】
（５）実施例５のマスクの評価
実施例５で得られたマスクを用いて、男女各２名（合計４名）に着用させ、着用状態を評価した。
評価項目及び結果を第６表に示す。
【０１３２】
【表６】
0005662076.tif 000007
【０１３３】
（６）実施例６のマスクの評価
実施例６で得られたマスクと、鼻ラップポケット構造体を取り付ける前の図３１に示される市販のプリーツ型マスクとを用いて、眼鏡を常時着用する男女各２名（合計４名）に着用させ、眼鏡の曇りの発生状態を評価した。
その結果、市販のプリーツ型マスクにおいては、着用後平均２０秒前後で眼鏡に曇りが発生したが、実施例６のマスクにおいては、着用後１５分経過しても曇りの発生がなかった。
なお、実施例６のマスクは、ずれもほとんど生じなかった。
【０１３４】
（７）実施例７のマスクの評価
実施例７で得られたマスクと、顎ラップポケット構造体を取り付ける前の図３１に示される市販のプリーツ型マスクとを用いて、女性４名に着用させ、以下のようにして評価を行った。
着用者は、いずれも着用前に濃い目の口紅を注し、クラッカービスケットを口に含んだ。
着用後３分間はそのまま静かに呼吸しながら着用し、その後２分間はクラッカービスケットをバリバリ噛み砕きながら口を動かし続け、その後３分間は静かに呼吸しながら着用して、マスクを取り外した。その後、実施例７のマスクの場合は、顎ラップポケット構造体８０を主シート部２０から取り外した。
その結果、市販のプリーツ型マスクにおいては、いずれの着用者の場合も、縦約５０ｍｍ、横約６０ｍｍにわたって口紅がべっとりと付き、クラッカーの粉末が付着していた。これに対し、実施例７のマスクにおいては、マスクの主シート部２０の動きが小さく、また、主シート部２０の浮き上がりも発生したため、口紅の付着範囲は縦約３０ｍｍ、横約４０ｍｍと小さく、また、クラッカーの付着量はわずかであった。
また、顎ラップポケット構造体８０を取り外した状態で、主シート部２０の内面を観察したところ、粘着剤の付着痕以外の汚れは全くなかった。
【０１３５】
（８）実施例８のマスクの評価
実施例８で得られたマスクと、鼻ラップポケット構造体を取り付ける前の図３７に示されるマスク２０２とを用いて、男女各２名（合計４名）に着用させ、着用状態を評価した。
評価項目及び結果を第７表に示す。
【０１３６】
【表７】
0005662076.tif 000008
【０１３７】
実施例８のマスクにおいては、鼻ラップポケット構造体６１と主シート部２２とは、２箇所の粘着剤で結合されているが、上部の粘着剤の部位のみで結合して鼻ラップポケット構造体６１の可動範囲を広くすると、上部帯状体を折り返す状態で用いなくても、着用者の鼻にキャップ状にかぶせて着用することができる。
【符号の説明】
【０１３８】
１０、１１、１２、１４、１６、１７、１８、１９  本体部
２０、２２  主シート部
３０、３２、３４、３４ａ、３４ｂ、３４ｃ、３４ｄ、３４ｅ、３４ｆ、３６、７０、７２、７４  下部帯状体
３６ａ  スリット
３６ｂ  フラップ
４０、４２、４２ａ、４２ｂ、４２ｃ、４２ｄ、４２ｅ、４４、５０、５２  上部帯状体
６０、６１  鼻ラップポケット構造体
６２  複合シート
６２ａ、６３  ＰＥ／ＰＰスパンボンド不織布
６２ｂ  ＬＬＤ・ＰＥフィルム
６４、６５、８４  伸縮性複合シート
６４ａ、８４ａ  ポリウレタンフィルム
６４ｂ、８４ｂ  ＰＥ／ＰＥＴスパンレース不織布
７２ａ、７４ａ  シート状物
８０  顎ラップポケット構造体
８２  不織布シート
９０、９１、９２  固定部
１００、１０２、１０２ａ、１０２、１０２ｃ、１０２ｄ、１０２ｅ、１０４、１０６、１０８、１０９、１１０、１１２、１１４、１１６、１１８、１２０、２００、２０２  マスク
２１０  本体シート部
Ｗ  着用者の肌
ＷＣ  着用者の下顎
ＷＬ  着用者の口唇
ＷＮ  着用者の鼻頭
【図１】
0005662076.tif 000009
【図２】
0005662076.tif 000010
【図３】
0005662076.tif 000011
【図４】
0005662076.tif 000012
【図５】
0005662076.tif 000013
【図６】
0005662076.tif 000014
【図７】
0005662076.tif 000015
【図８】
0005662076.tif 000016
【図９】
0005662076.tif 000017
【図１０】
0005662076.tif 000018
【図１１】
0005662076.tif 000019
【図１２】
0005662076.tif 000020
【図１３】
0005662076.tif 000021
【図１４】
0005662076.tif 000022
【図１５】
0005662076.tif 000023
【図１６】
0005662076.tif 000024
【図１７】
0005662076.tif 000025
【図１８】
0005662076.tif 000026
【図１９】
0005662076.tif 000027
【図２０】
0005662076.tif 000028
【図２１】
0005662076.tif 000029
【図２２】
0005662076.tif 000030
【図２３】
0005662076.tif 000031
【図２４】
0005662076.tif 000032
【図２５】
0005662076.tif 000033
【図２６】
0005662076.tif 000034
【図２７】
0005662076.tif 000035
【図２８】
0005662076.tif 000036
【図２９】
0005662076.tif 000037
【図３０】
0005662076.tif 000038
【図３１】
0005662076.tif 000039
【図３２】
0005662076.tif 000040
【図３３】
0005662076.tif 000041
【図３４】
0005662076.tif 000042
【図３５】
0005662076.tif 000043
【図３６】
0005662076.tif 000044
【図３７】
0005662076.tif 000045
【図３８】
0005662076.tif 000046
【図３９】
0005662076.tif 000047